(57)【特許請求の範囲】
【請求項１】
物体側から像側へ順に、正の屈折力の第１レンズ群、フォーカシングに際して光軸方向に移動する負の屈折力の第２レンズ群、正又は負の屈折力の第３レンズ群、を有する撮影光学系であって、
前記第１レンズ群よりも像側に配置され軸上最大光束径を決定する開口部を有し、
光軸方向における前記開口部からの距離をｄｓｐ−Ａ、最も物体側のレンズの物体側面頂点から像面までの光軸上の長さをＬ、とするとき、
０．００＜ｄｓｐ−Ａ／Ｌ＜０．１２
なる条件を満足する距離ｄｓｐ−Ａの範囲内に物体側面頂点が位置する光学素子Ａを少なくとも１つ有し、
全系の焦点距離をｆ、全系のパワーをφ、前記第１レンズ群の焦点距離をｆ１、無限遠物体にフォーカスしたときの開放ＦナンバーをＦｎｏ、前記第１レンズ群における最も物体側のレンズの物体側面頂点から前記第１レンズ群における最も像側のレンズの像側面頂点までの光軸上の長さをｄ１、前記光学素子ＡのパワーをφＡ、前記光学素子Ａを構成する材料のｄ線基準のアッベ数及び部分分散比差の夫々をνｄＡ及びΔθｇＦＡ、とするとき、
４．０＜ｆ２／（ｆ１×Ｆｎｏ×ｄ１）＜１０．０
−０．１０＜ΔθｇＦＡ×φＡ／（νｄＡ×φ）＜−０．０１
なる条件を満足することを特徴とする撮影光学系。
【請求項２】
前記光学素子Ａを構成する材料の部分分散比及び光学特性の夫々をθｇＦＡ及びＡθ１とし、
Ａθ１＝θｇＦＡ−θｇＦＢ１
θｇＦＢ１＝−１×１０−９×νｄＡ４＋５×１０−８×νｄＡ３＋７．５×１０−５×νｄＡ２−７×１０−３×νｄＡ＋０．７２１
とおいたとき、
０．０２７２＜Ａθ１＜０．３０００
なる条件を満足することを特徴とする請求項１に記載の撮影光学系。
【請求項３】
前記光学素子Ａを構成する材料の部分分散比及び光学特性の夫々をθｇＦＡ及びＡθ２とし、
Ａθ２＝θｇＦＡ−θｇＦＢ２
θｇＦＢ２＝−１．６７×１０−７×νｄＡ３＋５．２１×１０−５×νｄＡ２−５．６６×１０−３×νｄＡ＋０．７２７８
とおいたとき、
−０．５０００＜Ａθ２＜−０．０２７２
なる条件を満足することを特徴とする請求項１に記載の撮影光学系。
【請求項４】
５＜νｄＡ＜６０
なる条件を満足することを特徴とする請求項１乃至３のいずれか１項に記載の撮影光学系。
【請求項５】
前記光学素子Ａは、回折光学素子であることを特徴とする請求項１乃至４のいずれか１項に記載の撮影光学系。
【請求項６】
無限遠物体にフォーカスしたときの前記第１レンズ群と前記第２レンズ群との合成焦点距離をｆ１２とするとき、
２．０＜ｆ２／（ｆ１２×Ｌ）＜１０．０
なる条件を満足することを特徴とする請求項１乃至５のいずれか１項に記載の撮影光学系。
【請求項７】
前記第１レンズ群に含まれる正レンズのパワーの総和及び負レンズのパワーの総和の夫々をφＰＳＵＭ及びφＮＳＵＭとするとき、
１．４＜φＰＳＵＭ／│φＮＳＵＭ│＜３．０
なる条件を満足することを特徴とする請求項１乃至６のいずれか１項に記載の撮影光学系。
【請求項８】
光軸方向における前記開口部からの像側への距離をｄｓｐ−Ｒ、前記開口部から像面までの光軸上の長さをｄｓｐ−ｉｍｇ、とするとき、
０．３０＜ｄｓｐ−Ｒ／ｄｓｐ−ｉｍｇ＜１．００
なる条件を満足する距離ｄｓｐ−Ｒの範囲内に物体側頂点が位置する光学素子Ｒを少なくとも１つ有し、
物体側から数えて第ｉ番目の前記光学素子Ａについて、パワーをφＡｉ、材料のｄ線基準のアッベ数及び部分分散比差の夫々をνｄＡｉ及びΔθｇＦＡｉ、とし、物体側から数えて第ｋ番目の前記光学素子Ｒについて、パワーをφＲｋ、材料のｄ線基準のアッベ数及び部分分散比差の夫々をνｄＲｋ及びΔθｇＦＲｋ、とし、前記光学素子Ａの枚数をｎＡ、前記光学素子Ｒの枚数をｍＲ、とするとき、
【数１】
0005726004.tif 000014
なる条件を満足することを特徴とする請求項１乃至７のいずれか１項に記載の撮影光学系。
【請求項９】
前記光学素子Ｒを構成する材料の部分分散比及び光学特性の夫々をθｇＦＲ及びＲθ１とし、
Ｒθ１＝θｇＦＲ−θｇＦＢＲ１
θｇＦＢＲ１＝−１×１０−９×νｄＲ４＋５×１０−８×νｄＲ３＋７．５×１０−５×νｄＲ２−７×１０−３×νｄＲ＋０．７２１
とおいたとき、
０．０２７２＜Ｒθ１＜０．３０００
なる条件を満足することを特徴とする請求項８に記載の撮影光学系。
【請求項１０】
前記光学素子Ｒを構成する材料の部分分散比及び光学特性の夫々をθｇＦＲ及びＲθ２とし、
Ｒθ２＝θｇＦＲ−θｇＦＢＲ２
θｇＦＢＲ２＝−１．６７×１０−７×νｄＲ３＋５．２１×１０−５×νｄＲ２−５．６６×１０−３×νｄＲ＋０．７２７８
とおいたとき、
−０．５０００＜Ｒθ２＜−０．０２７２
なる条件を満足することを特徴とする請求項８に記載の撮影光学系。
【請求項１１】
５＜νｄＲ＜６０
なる条件を満足することを特徴とする請求項８乃至１０のいずれか１項に記載の撮影光学系。
【請求項１２】
前記第１レンズ群は、物体側から像側へ順に、正レンズ、物体側に凸面を向けたメニスカス形状の正レンズ、接合レンズ、を有し、前記メニスカス形状の正レンズの物体側面の曲率半径及び像側面の曲率半径の夫々をＲＭ１及びＲＭ２、前記メニスカス形状の正レンズを構成する材料のアッベ数をνＭ、とするとき、
０．１＜（ＲＭ２−ＲＭ１）／（ＲＭ１＋ＲＭ２）＜０．５
１５＜νＭ＜３０
なる条件を満足することを特徴とする請求項１乃至１１のいずれか１項に記載の撮影光学系。
【請求項１３】
前記第１レンズ群及び第２レンズ群に配置されたレンズのうち、物体側から数えて第ｉ番目のレンズについて、パワーをφＧｉ、材料のｄ線基準のアッベ数及び部分分散比差の夫々νｄＧｉ及びΔθｇＦＧｉ、とし、前記第１レンズ群及び第２レンズ群に配置されたレンズの枚数をｎとするとき、
【数２】
0005726004.tif 000015
なる条件を満足することを特徴とする請求項１乃至１２のいずれか１項に記載の撮影光学系。
【請求項１４】
最も物体側のレンズの物体側面頂点から前記開口部までの光軸上の長さをｄ−ｓｐとするとき、
４．０＜ｆ２／（ｄ−ｓｐ×Ｌ）＜８．０
なる条件を満足することを特徴とする請求項１乃至１３のいずれか１項に記載の撮影光学系。
【請求項１５】
前記第３レンズ群は、物体側から像側へ順に、固定の第３１レンズ群、光軸に垂直な方向の成分を持つ方向に移動する第３２レンズ群、固定の第３３レンズ群、を有することを特徴とする請求項１乃至１４のいずれか１項に記載の撮影光学系。
【請求項１６】
請求項１乃至１５のいずれか１項に記載の撮影光学系と、該撮影光学系によって形成された像を受光する撮像素子と、を有することを特徴とする撮像装置。
【発明の詳細な説明】
【技術分野】
【０００１】
本発明は撮影光学系及びそれを有する撮像装置に関し、例えば固体撮像素子を用いたビデオカメラ、デジタルスチルカメラ、ＴＶカメラ、監視用カメラや銀塩フィルムを用いたフィルム用カメラ等に好適なものである。
【背景技術】
【０００２】
長焦点距離の撮影光学系として、物体側から像側へ順に、正の屈折力を有する前方レンズ群と、負の屈折力を有する後方レンズ群より成る、所謂望遠タイプの撮影光学系（望遠レンズ）が知られている。ここで長焦点距離とは例えば有効撮像範囲の寸法に比べて長い焦点距離のことをいう。一般的に焦点距離の長い望遠レンズでは、焦点距離が延びるにしたがって、諸収差のうち、特に軸上色収差及び倍率色収差等の色収差が多く発生してくる。
【０００３】
これらの色収差を、蛍石や商品名S-FPL51（オハラ社製）等の異常部分分散性を持った低分散材料を用いた正レンズと、高分散材料を用いた負レンズとを組み合わせて補正した（色消しを行った）望遠レンズが種々提案されている（特許文献１）。
【０００４】
特許文献１では焦点距離２９４ｍｍ〜３９２ｍｍでＦナンバー４．０８〜５．６程度の望遠レンズを開示している。またＦナンバーの小さい望遠レンズでは、Ｆナンバーが小さくなるにしたがって、諸収差のうち、特に球面収差及びコマ収差が多く発生してくる。Ｆナンバーが小さい望遠レンズにおいて球面収差やコマ収差を補正するためには、レンズ枚数を増やして収差補正に対する自由度を増やすようにした望遠レンズが知られている（特許文献２）。
【０００５】
特許文献２ではレンズ枚数を増やして収差補正を行った焦点距離２９４ｍｍ〜５８８ｍｍでＦナンバー２．８８〜４．０８程度の大口径比の望遠レンズを開示している。
【０００６】
一方、光学系の色収差を含めた諸収差を補正しつつ、レンズ重量を軽量化する方法として、レンズ面やあるいは光学系の一部に、回折作用を有する回折光学部を基板上に設けた回折光学素子を用いる方法が知られている。この方法によって、色収差を補正しつつレンズ全長を短縮したり、ガラス材料の比重を比較的軽い材料でレンズを構成することで総合的なレンズ重量を軽量化した光学系が知られている（特許文献３）。
【０００７】
特許文献３では回折光学素子を用いて色収差を良好に補正した焦点距離２９３ｍｍ〜３９１ｍｍでＦナンバー２．９〜４．１程度の大口径比の望遠レンズを開示している。この特許文献３では、レンズ全長を短縮させて第１レンズ群のパワーが増大した分を、非球面で単色の収差補正を行い、色収差を回折光学素子で補正している。これにより諸収差の補正と全体の小型・軽量化を図っている。
【０００８】
また多くの撮影レンズ（光学系）において無限遠物体から近距離物体へのフォーカシングは、撮影レンズ全体を移動させたり、若しくは撮影レンズの一部のレンズ群を移動させたりして行っている。このうち焦点距離の長い望遠レンズの場合は、レンズ全体が大型となり、又、重くなるため、望遠レンズ全体を移動させてフォーカスを行うのが機構的に困難である。
【０００９】
このため、従来より、望遠レンズでは一部のレンズ群を移動させてフォーカスを行っているものが多い。このうち前方レンズ群以外の比較的小型でしかも軽量の光学系の中央部分の一部のレンズ群を移動させてフォーカスを行ったインナーフォーカス式を用いている。特許文献１乃至３の望遠レンズでは何れも物体側より順に、正の屈折力の第１レンズ群、負の屈折力の第２レンズ群を有し、無限遠から近距離へのフォーカシングに際して第２レンズ群を光軸上を像面側へ移動させてフォーカスを行っている。
【先行技術文献】
【特許文献】
【００１０】
【特許文献１】特開平９−１４５９９６号公報
【特許文献２】特開平８−３２７８９７号公報
【特許文献３】特開２００９−２７１３５４号公報
【発明の概要】
【発明が解決しようとする課題】
【００１１】
望遠レンズは一般に、焦点距離を長くするにつれてレンズ系全体が大型化してくる。このため望遠レンズにおいてはレンズ系全体の小型化を図ること、そして焦点距離を長くすることによって発生する諸収差のうち、特に色収差を良好に補正することが重要になってくる。更にフォーカシングを前方レンズ群以外の小型軽量のレンズ群で迅速に、しかも駆動装置の負担を少なくして行うことが重要になってくる。
【００１２】
一般に望遠レンズにおいて焦点距離が長くなるにつれて、特に正の屈折力の前方レンズ群が大型化及び高重量化してくる。このため望遠レンズにおいては正の屈折力の前方レンズ群のレンズ構成を適切に設定することが全系の小型化及び軽量化を図りつつ、かつ色収差を良好に補正し、高い光学性能を得るのに重要になってくる。前方レンズ群のレンズ構成が不適切であると全系が大型化し、諸収差が増大し高い光学性能を得るのが大変困難になる。
【００１３】
本発明は、色収差を含めた諸収差の補正が容易で、しかも全系の小型化及びレンズ重量の軽量化を図ることができる撮影光学系及びそれを有する撮像装置の提供を目的とする。
【課題を解決するための手段】
【００１４】
本発明の撮影光学系は、物体側から像側へ順に、正の屈折力の第１レンズ群、フォーカシングに際して光軸方向に移動する負の屈折力の第２レンズ群、正又は負の屈折力の第３レンズ群、を有する撮影光学系であって、
前記第１レンズ群よりも像側に配置され軸上最大光束径を決定する開口部を有し、
光軸方向における前記開口部からの距離をｄｓｐ−Ａ、最も物体側のレンズの物体側面頂点から像面までの光軸上の長さをＬ、とするとき、
０．００＜ｄｓｐ−Ａ／Ｌ＜０．１２
なる条件を満足する距離ｄｓｐ−Ａの範囲内に物体側面頂点が位置する光学素子Ａを少なくとも１つ有し、
全系の焦点距離をｆ、全系のパワーをφ、前記第１レンズ群の焦点距離をｆ１、無限遠物体にフォーカスしたときの開放ＦナンバーをＦｎｏ、前記第１レンズ群における最も物体側のレンズの物体側面頂点から前記第１レンズ群における最も像側のレンズの像側面頂点までの光軸上の長さをｄ１、前記光学素子ＡのパワーをφＡ、前記光学素子Ａを構成する材料のｄ線基準のアッベ数及び部分分散比差の夫々をνｄＡ及びΔθｇＦＡ、とするとき、
４．０＜ｆ２／（ｆ１×Ｆｎｏ×ｄ１）＜１０．０
−０．１０＜ΔθｇＦＡ×φＡ／（νｄＡ×φ）＜−０．０１
なる条件を満足することを特徴としている。
【発明の効果】
【００１５】
本発明によれば、色収差を含めた諸収差の補正が容易で、しかも全系の小型化及びレンズ重量の軽量化を図った撮影光学系が得られる。
【図面の簡単な説明】
【００１６】
【図１】（Ａ），（Ｂ）  本発明の実施例１の撮影光学系の物体距離無限遠時におけるレンズ断面図と収差図
【図２】（Ａ），（Ｂ）  本発明の実施例２の撮影光学系の物体距離無限遠時におけるレンズ断面図と収差図
【図３】（Ａ），（Ｂ）  本発明の実施例３の撮影光学系の物体距離無限遠時におけるレンズ断面図と収差図
【図４】（Ａ），（Ｂ）  本発明の実施例４の撮影光学系の物体距離無限遠時におけるレンズ断面図と収差図
【図５】（Ａ），（Ｂ）  本発明の実施例５の撮影光学系の物体距離無限遠時におけるレンズ断面図と収差図
【図６】（Ａ），（Ｂ）  本発明の実施例６の撮影光学系の物体距離無限遠時におけるレンズ断面図と収差図
【図７】（Ａ），（Ｂ）  本発明の実施例７の撮影光学系の物体距離無限遠時におけるレンズ断面図と収差図
【図８】（Ａ），（Ｂ）  本発明の実施例８の撮影光学系の物体距離無限遠時におけるレンズ断面図と収差図
【図９】（Ａ），（Ｂ）  本発明の実施例９の撮影光学系の物体距離無限遠時におけるレンズ断面図と収差図
【図１０】（Ａ），（Ｂ）  本発明の実施例１０の撮影光学系の物体距離無限遠時におけるレンズ断面図と収差図
【図１１】（Ａ），（Ｂ）  本発明の実施例１１の撮影光学系の物体距離無限遠時におけるレンズ断面図と収差図
【図１２】（Ａ），（Ｂ）  本発明の実施例１２の撮影光学系の物体距離無限遠時におけるレンズ断面図と収差図
【図１３】（Ａ），（Ｂ）  本発明の実施例１３の撮影光学系の物体距離無限遠時におけるレンズ断面図と収差図
【図１４】（Ａ），（Ｂ）  本発明の実施例１４の撮影光学系の物体距離無限遠時におけるレンズ断面図と収差図
【図１５】本発明の撮像装置の説明図
【図１６】本発明に係る条件式（４）〜（６）、条件式（１１）〜（１３）の範囲を説明する図
【図１７】一般硝材の波長による屈折率変化を表すグラフ
【図１８】本発明の撮影光学系の光学作用を説明するための近軸配置概略図
【発明を実施するための形態】
【００１７】
以下に本発明の好ましい実施の形態を、添付の図面に基づいて詳細に説明する。本発明の撮影光学系は、物体側から像側へ順に、正の屈折力の第１レンズ群、フォーカスのために光軸方向に移動する負の屈折力の第２レンズ群、正又は負の屈折力の第３レンズ群、を有している。
【００１８】
図１（Ａ）乃至図１４（Ａ）は、本発明の撮影光学系の実施例１乃至実施例１４のレンズ断面図である。また図１（Ｂ）乃至図１４（Ｂ）は本発明の撮影光学系の実施例１乃至実施例１４の縦収差図である。また図１５は本発明の撮影光学系をカメラ本体に装着した一眼レフカメラシステム（撮像装置）の要部概略図である。各レンズ断面図において、Ｌ０は撮影光学系である。ＳＰは軸上最大光束径を決定している開口部である。撮影光学系Ｌ０は正の屈折力の第１レンズ群Ｌ１、負の屈折力の第２レンズ群Ｌ２、正又は負の第３レンズ群Ｌ３を有している。
【００１９】
第３レンズ群Ｌ３は物体側から像側へ順に、固定の第３１レンズ群Ｌ３１、光軸に対し垂直方向の成分を持つように移動して画像を光軸方向に対し垂直に変移させる第３２レンズ群Ｌ３２、固定の第３３レンズ群Ｌ３３を有する。Ｇは光学フィルター、フェースプレート等であり、ガラスブロックとして示している。ＩＰは像面であり、ビデオカメラやデジタルカメラの撮影光学系として使用する際には像を受光するＣＣＤセンサやＣＭＯＳセンサ等の撮像素子（光電変換素子）の撮像面が、銀塩フィルム用カメラの撮像光学系とし使用する際にはフィルム面に相当する。
【００２０】
各収差図において、ｄ、ｇは順に、ｄ線、ｇ線である。Ｍ、Ｓはメリディオナル像面、サジタル像面である。倍率色収差はｇ線によって表している。ＦｎｏはＦナンバー、ωは半画角である。すべての収差図においては、後述する各数値実施例をｍｍ単位で表したとき球面収差は０．２ｍｍ、非点収差は０．２ｍｍ、歪曲は２％、倍率色収差は０．０２ｍｍのスケールで描かれている。各実施例の撮影光学系Ｌ０は望遠レンズより成り、その特徴とする構成は次のとおりである。
【００２１】
各実施例において、第１レンズ群Ｌ１の少なくとも１つのレンズ面は非球面形状である。第１レンズ群Ｌ１よりも像側に軸上最大光束径を決定する開口部（開口絞り）ＳＰを有している。開口部ＳＰから光軸方向の距離をdsp-A、最も物体側のレンズの物体側面頂点から像面までの光軸上の長さをLとする。このとき、
0.00 ＜ dsp-A/L ＜ 0.12    ・・・（２）
を満足する距離dsp-Aの範囲内に少なくとも物体側面頂点が位置する光学素子Ａを少なくとも１つ有している。
【００２２】
全系の焦点距離をf、全系のパワーをφ、第１レンズ群Ｌ１の焦点距離をf1、無限遠物体にフォーカスしているときの開放ＦナンバーをFnoとする。第１レンズ群Ｌ１の最も物体側レンズの物体側面頂点から、第１レンズ群Ｌ１の最も像側レンズの像側面頂点までの光軸上の長さをd1とする。光学素子ＡのパワーをφA、光学素子Ａを構成する材料のｄ線基準のアッベ数をνdA、部分分散比差をΔθgFAとする。このとき、
4.0 ＜ f2/(f1×Fno×d1) ＜10.0            ・・・（１）
-0.10＜ΔθgFA×φA／（νdA×φ）＜-0.01    ・・・（３）
なる条件を満足している。
【００２３】
ただしアッベ数νdA、部分分散比差ΔθgFAは、前記光学素子Ａを構成する材料のｄ線における屈折率をＮdA、ｇ線における屈折率をＮgA、Ｃ線における屈折率をＮCA、Ｆ線における屈折率をＮFAとすると次に示す式で定義するものである。
【００２４】
νdA＝（ＮdA−1）／（ＮFA−ＮCA）
θgFA＝（ＮgA−ＮFA）／（ＮFA−ＮCA）
ΔθgFA＝θgFA−（−1.61783×10-3×νdA＋0.64146）
図１８は望遠レンズＬ０の近軸屈折力配置の摸式図である。図１８では望遠レンズＬ０においてリアフォーカシング（インナーフォーカシング）を想定したときの基準状態（無限遠物体合焦状態）での光学作用を説明するための近軸屈折力配置を示している。
【００２５】
図中Ｌ１は正の屈折力の第１レンズ群、Ｌ２はフォーカシングのために光軸方向へ移動する負の屈折力の第２レンズ群である。Ｌ３は正又は負の屈折力を有する第３レンズ群であるが、この図においては詳細を省略している。Ｌａは光軸である。ＩＰは像面である。Ｐは軸上近軸光線、そしてＱは瞳近軸光線である。
【００２６】
一般的に望遠レンズにおいて、軸上近軸光線Ｐのレンズへの入射高さは、光軸Ｌａと瞳近軸光線Ｑの交わる点ＳＰａより物体側で高く、像側で低くなっている。望遠レンズはこのようにいわゆるテレフォトタイプ（望遠タイプ）の構成をとっている。この場合、大口径（Ｆナンバーを小）化を効果的に達成しようとすると、Ｆナンバー（開放Ｆナンバー）は物体側近傍のレンズ径で決まってしまう。
【００２７】
しかしそうなると望遠レンズの中では物体側のレンズほど有効径が大きくなる。特にＦナンバーが小さくなればレンズの有効径も増大し、それに伴ってレンズ外径も増大し、さらにその略３乗で重量が増す。そのため大口径比の望遠レンズほど像側より物体側のレンズの重量が増大し易い。以上のようなことから大口径比の望遠レンズにおいては全系の軽量化を図ることが重要になってくる。
【００２８】
そこで、この状況においてレンズ系全体の重量を軽減するためには、仕様や結像性能を変えずにレンズ全長（第１レンズ面から像面までの距離）の短縮を図ったり、第１レンズ群の構成レンズの枚数を削減したり、レンズ有効径を小さくすることが必要となってくる。
【００２９】
各実施例ではこのレンズタイプにおいてレンズ系全体の重量を軽減するために、まずレンズ全長を短縮することにした。これを達成するための方法としては、正のパワー（屈折力）である第１レンズ群のパワーを強めることや、第１レンズ群自体のレンズ群の厚み（光軸方向の長さ）を薄くすることなどがある。しかし一般的に、焦点距離と比較して、Ｆナンバーが小さい（Ｆナンバー４〜６）望遠レンズは、Ｆナンバーが大きい（Ｆナンバー８〜１２）望遠レンズに比べて球面収差やコマ収差が増大してくる。そこで従来の望遠レンズでは、第１レンズ群のレンズ枚数を増やすことで、収差補正を行ってきた。
【００３０】
次に、焦点距離と比較して、Ｆナンバー（開放Ｆナンバー）が小さい望遠レンズにおいて、レンズ全長の短縮を行う手段を考える。従来例に挙げたＦナンバーが大きい望遠レンズのように、第１レンズ群のパワーを単に強めるだけでレンズ全長の短縮を行おうとすると、Ｆナンバーが大きい望遠レンズよりも第１レンズ群の有効径が大きいために、正レンズの肉厚（中心厚）が増大してしまう。
【００３１】
そのため第１レンズ群の重量が増大してしまい、Ｆナンバーが小さい望遠レンズではレンズ全長の短縮に見合った軽量化の効果を出せない。またレンズ枚数が多いためレンズ全長の短縮を行うための空気間隔が少なく、ある程度以上は十分なレンズ全長の短縮効果が得られなかった。
【００３２】
そこで各実施例では、第１レンズ群内に少なくとも１つの非球面形状のレンズ面を配置することで、光学特性を良好に維持しつつ、第１レンズ群のレンズ枚数を削減して第１レンズ群のレンズ群厚を薄くしている。そして更に第１レンズ群のパワーを強めることでレンズ全長の短縮を行っている。
【００３３】
このとき、焦点距離ｆが長く、ＦナンバーＦｎｏが小さい（焦点距離ｆとＦナンバーＦｎｏーの比が大きい）望遠レンズにおいて全長を短縮すると次のような課題が生じてくる。ここで望遠レンズとしては、例えば焦点距離ｆ＝６００ｍｍ、ＦナンバーＦｎｏ＝４．０や焦点距離ｆ＝８００ｍｍ、ＦナンバーＦｎｏ＝５．６である。
【００３４】
第１レンズ群に蛍石や回折光学素子を使用して色収差を補正しつつ第１レンズ群のパワーを強くして、ある程度以上にレンズ全長を短縮して行くと、軸上色収差と倍率色収差の補正バランスが崩れてくる。例えば倍率色収差を十分に補正しようとすると、軸上色収差が補正過剰になってしまう。特にｇ線とＦ線との間の軸上色収差が十分に補正することができない。
【００３５】
通常のフルハイビジョン（画素数1920×1080、画素サイズ数μm）相当の画質であれば、多少の色収差が許容される。しかし、画素数のアップや画素サイズの縮小による高画質化を考慮すると、軸上色収差の補正を十分に行うことが必要になってくる。
【００３６】
そこで各実施例では第１レンズ群のレンズ群厚を薄くし、第１レンズ群のパワーを強めることでレンズ全長の短縮を行っただけではなく、次のようにしている。軸上最大光束径を決定している条件式（２）を満足する位置に配置されている開口部ＳＰの近傍に条件式（１）、（３）を満足する光学素子Ａを少なくとも１つ配置した。これによりｇ線とＦ線との間の軸上色収差の補正を行っている。
【００３７】
次にこのときの色収差補正のメカニズムについて説明する。図１８の近軸屈折力配置のモデルに示すような望遠レンズＬ０において、瞳近軸光線Ｑが光軸Ｌａと交わる位置ＳＰａよりも物体側では、軸上近軸光線Ｐがレンズ面に光軸Ｌａから高い位置を通過するため、像面側のレンズよりも軸上色収差が多く発生する。また瞳近軸光線Ｑが光軸Ｌａと交わる位置ＳＰａから物体側（又は像側）へ行けば行くほど軸外主光線がレンズの周辺部分を通過するため、倍率色収差が多く発生する。
【００３８】
そのため、瞳近軸光線Ｑが光軸Ｌａと交わる位置ＳＰａよりも物体側（特に第１レンズ群）に異常分散特性を有する材料からなるレンズや回折光学素子などの色収差補正用の光学素子を配置することで、軸上色収差と倍率色収差の両方を補正することができる。こうすることで軸上色収差と倍率色収差それぞれのＣ線とＦ線との間の色収差補正とｇ線とＦ線との間の色収差補正を行うことができる。
【００３９】
しかしながら、レンズ全長の短縮のために第１レンズ群のパワーを強めてくと、特にｇ線とＦ線との間の色収差量が増大してくる。これは図１７に示すように、レンズに使われるような一般的な光学材料は、分散の違いで大きさは異なるが短波長になればなるほど屈折率の変化が大きくなっているからである。一般に第１レンズ群内の正レンズは、軸上色収差と倍率色収差の両方のＣ線とＦ線との間とｇ線とＦ線との間の色収差をバランスよく補正しようとして異常分散性の大きい材料を多く使用している。
【００４０】
第１レンズ群のパワーを更に強めていくと、軸上色収差と倍率色収差の補正の寄与率が異なるために、第１レンズ群に配置したガラス材料や回折光学素子だけでは軸上色収差と倍率色収差の両方についてｄ、ｇ、Ｃ、Ｆの４波長の色収差補正を行うことが難しくなる。特に、倍率色収差を十分に補正しようとすると、ｇ線とＦ線との間の軸上色収差が補正過剰になってしまう。
【００４１】
第１レンズ群のパワーを強めてレンズ全長を短縮して行くと、第１レンズ群に配置した材料や回折光学素子だけではｇ線とＦ線との間の色収差補正が十分ではなくなるのはこの理由からである。
【００４２】
そこで、軸上最大光束径を決定している開口部ＳＰの近傍に条件式（１）、（３）を満足する少なくとも１つの光学素子Ａを配置する。これにより倍率色収差に与える影響を少なくしながら、ｇ線とＦ線との間の軸上色収差を逆補正することで全系として色収差を良好に補正している。各実施例ではこのようにすることで、全体として軽量で高画質な画像が得られる撮影光学系を構成している。
【００４３】
このとき開口部ＳＰを第１レンズ群よりも像側に配置している。こうすることで、第１レンズ群のレンズ有効径を大きくすることなく画面周辺の光束を十分に取り込んでいる。更に、多くの撮影光学系におけるフォーカシングは、撮影光学系全体を移動させたり、もしくは撮影光学系の一部のレンズ群を移動させたりして行っている。このうち焦点距離が長くＦナンバー（開放Ｆナンバー）が小さい望遠レンズの場合は、レンズ系全体が大型となり、又、Ｆナンバーの大きい望遠レンズに比べて高重量となる。このため、望遠レンズ全体を移動させてフォーカシングを行うのが機構的に困難となる。
【００４４】
そこで各実施例の撮影光学系は、第１レンズ群Ｌ１よりも像側に位置する小型軽量なレンズ群である第２レンズ群Ｌ２を光軸上移動させることによってフォーカシングを行っている。これにより、光学系全体や第１レンズ群Ｌ１全体を移動させてフォーカスすることに比して格段に小さい駆動装置でフォーカスすることを容易にしている。
【００４５】
更に第１レンズ群には少なくとも１つの非球面を有するようにしている。そうすることで、球面収差やコマ収差等を大きく悪化させることなく第１レンズ群のレンズ枚数を削減している。または色収差の補正のために蛍石等の低分散硝材に大きなパワーをつけた場合でも、そこから発生する球面収差やコマ収差等を非球面によって補正することを容易にしている。
【００４６】
また各実施例の撮影光学系は第２レンズ群Ｌ２より像側に第３レンズ群Ｌ３を配置している。第２レンズ群Ｌ２よりも像側に第３レンズ群Ｌ３を配置することで、軸上光線のレンズへの入射高さが低く、かつ軸外主光線が高い位置を通過する箇所にレンズ面を配置することができる。これにより、像面湾曲や倍率色収差の補正を容易にしている。
【００４７】
次に前述の各条件式の技術的意味について説明する。条件式（１）は撮影光学系Ｌ０の第１レンズ群Ｌ１のパワーと第１レンズ群厚に関する。条件式（１）の上限値を超えると、第１レンズ群Ｌ１のパワーが強くなりすぎるか第１レンズ群Ｌ１の厚みが薄くなりすぎる。どちらもレンズ全長の短縮には効果があるが、しかしそれにより第１レンズ群Ｌ１で発生する球面収差やコマ収差等を第１レンズ群Ｌ１内で補正することが難しくなり、レンズ全系で球面収差とコマ収差が補正不足となるため好ましくない。
【００４８】
一方、条件式（１）の下限値を超えると、第１レンズ群Ｌ１のパワーが弱くなるか、第１レンズ群Ｌ１の厚みが厚くなるため、レンズ全長の短縮効果が得られにくくなり好ましくない。条件式（１）は更に好ましくは次の如く設定するのが良い。
【００４９】
4.5＜f2/(f1×Fno×d1)＜9.0          ・・・（１ａ）
また条件式（１ａ）は更に好ましくは次の如く設定するのが良い。
【００５０】
4.95＜f2/(f1×Fno×d1)＜8.00        ・・・（１ｂ）
条件式（２）は撮影光学系Ｌ０に配置された条件式（３）を満足する光学素子Ａの配置位置に関する。条件式（２）の上限値を超えると、開口部ＳＰから離れて、第１レンズ群Ｌ１寄りか、像面寄りに光学素子Ａを配置することになる。
【００５１】
まず光学素子Ａが第１レンズ群Ｌ１寄りに配置された場合は、軸上近軸光線がレンズ面に光軸から高い位置を通過し、かつ軸外主光線がレンズの周辺部分を通るような位置に配置することになる。このような構成の位置に光学素子Ａを配置すると、軸上色収差と倍率色収差の寄与率が両方とも大きくなる。そうすると軸上色収差と倍率色収差の補正バランスを取ることができる解がなくなってしまうため好ましくない。また像面寄りに配置された場合は、軸上近軸光線がレンズ面に光軸から低い位置を通過する位置に光学素子Ａを配置することになる。
【００５２】
そうすると、軸上色収差への収差補正の寄与率が小さくなり、非常に大きなパワーを持たせないと補正することができなくなる。そうすると、色収差と基本収差（特に像面湾曲など）とのバランスを取る解がなくなるため好ましくない。また条件式（２）の下限値は超えることはない。条件式（２）は更に好ましくは次の如く設定するのが良い。
【００５３】
0.00 ＜ dsp-A/L ＜ 0.09        ・・・（２ａ）
条件式（３）は、光学素子Ａの色収差の補正力に関する。条件式（３）の上限値（又は下限値）を超えると、光学素子Ａのパワーの絶対値が小さすぎる（又は大きすぎる）、または光学素子Ａの部分分散比差の絶対値が小さすぎる（又は大きすぎる）ことになる。そうすると、軸上色収差の補正バランスがとれなくなり、特にｇ線とＦ線との間の軸上色収差が十分に補正できないため好ましくない。条件式（３）は更に好ましくは次の如く設定するのが良い。
【００５４】
-0.07＜ΔθgFA×φA／（νdA×φ）＜-0.01        ・・・（３ａ）
また条件式（３ａ）は更に好ましくは次の如く設定するのが良い。
【００５５】
-0.05＜ΔθgFA×φA／（νdA×φ）＜-0.01        ・・・（３ｂ）
以上のような構成とすることで本発明の目的とする撮影光学系は達成されるが、更に好ましくは次に述べる条件のうち少なくとも１つを満足するのが良く、これによれば更なるレンズ全長の短縮効果と高い光学性能が容易に得られる。
【００５６】
第１レンズ群Ｌ１は物体側から像側へ順に、正レンズ、物体側に凸面を向けたメニスカス形状の正レンズ、接合レンズを有していることが好ましい。このようなレンズ構成とすることで、正レンズとメニスカスレンズで第１レンズ群Ｌ１内に入射した光線を収れんさせると共に、メニスカスレンズの物体側面と像側面のわずかな曲率差を利用して球面収差とコマ収差等を補正することが容易となる。
【００５７】
こうすることでパワーと収差補正のバランスが取れるため好ましい。またレンズ全長の短縮による第１レンズ群Ｌ１のパワーの増加によって、レンズの配置位置の製造誤差による結像性能の変化の敏感度も大きくなる。しかし、接合レンズを有していることで、接合せず近接配置をとる場合よりも敏感度を下げることが容易となるため、製造しやすくなり好ましい。
【００５８】
光学素子Ａの材料の部分分散比をθgFA、光学素子Ａを構成する材料の光学特性Ａθ1を、
Ａθ1＝θgFA−θgFB1
θgFB1＝−１×10-9×νdA4＋5×10-8×νdA3＋7.5×10-5×νdA2−7×10-3×νdA＋0.721
とおく。
【００５９】
光学素子Ａを構成する材料の光学特性Ａθ2を、
Ａθ2＝θgFA−θgFB2
θgFB2＝−１.67×10-7×νdA3＋5.21×10-5×νdA2−5.66×10-3×νdA＋0.7278
とおく。このとき次の条件式のうち１以上を満足するのが良い。
【００６０】
0.0272＜Ａθ1＜0.3000      ・・・（４）
−0.5000＜Ａθ2＜−0.0272  ・・・（５）
5＜νdA＜60                ・・・（６）
図１６は条件式（４）、（５）、（６）の範囲を図示した説明図である。条件式（４）、（５）は光学素子Ａの部分分散比（θgF）に関する。条件式（４）の上限値を超えると、他の一般的な材料と比較して光学素子Ａの部分分散比が大きくなりすぎてしまう。そうすると特に短波長側の軸上色収差が過補正になってしまうため好ましくない。
【００６１】
一方、条件式（４）の下限値を超えると、光学素子Ａの部分分散比が小さくなり、異常分散性が小さい他の一般的な材料と同程度になってしまう。そうすると特に短波長側の軸上色収差が補正不足となるため好ましくない。
【００６２】
条件式（４）は更に好ましくは次の如く設定するのが良い。
0.0320 ＜ Ａθ1 ＜ 0.2700        ‥‥‥（４ａ）
条件式（４ａ）は更に好ましくは次の如く設定するのが良い。
0.0400 ＜ Ａθ1 ＜ 0.2500        ‥‥‥（４ｂ）
条件式（４ｂ）は更に好ましくは次の如く設定するのが良い。
0.0550 ＜ Ａθ1 ＜ 0.2200        ‥‥‥（４ｃ）
条件式（５）の上限値を超えると、光学素子Ａの部分分散比が大きくなり、異常分散性が小さい他の一般的な材料と同程度になってしまう。そうすると特に短波長側の軸上色収差が補正不足になってしまうため好ましくない。
【００６３】
一方、条件式（５）の下限値を超えると、他の一般的な材料と比較して光学素子Ａの部分分散比が小さくなりすぎてしまう。そうすると特に短波長側の軸上色収差が過補正となるため好ましくない。  条件式（５）は更に好ましくは次の如く設定するのが良い。
【００６４】
−0.5000 ＜ Ａθ2 ＜ −0.0280        ‥‥‥（５ａ）
条件式（５ａ）は更に好ましくは次の如く設定するのが良い。
−0.4700 ＜ Ａθ2 ＜ −0.0290        ‥‥‥（５ｂ）
条件式（５ｂ）は更に好ましくは次の如く設定するのが良い。
−0.4600 ＜ Ａθ2 ＜ −0.0300        ‥‥‥（５ｃ）
条件式（６）は光学素子Ａの材料のアッベ数に関する。
【００６５】
条件式（６）の上限値を超えると、光学素子Ａの材料のアッベ数が大きくなり、低分散となる。そうすると短波長側の軸上色収差を補正しようとすると大きなパワーが必要となり、長波長側の色収差とのバランスがとれなくなるため好ましくない。
【００６６】
一方、条件式（６）の下限値を超えると、光学素子Ａのアッベ数が小さくなり、高分散となる。そうすると特に短波長側の軸上色収差は弱いパワーで補正しやすくなるが、少なからずとも影響を受ける倍率色収差には補正方向が逆に働くため、軸上色収差と倍率色収差のバランスをとりにくくなくなるので好ましくない。
【００６７】
条件式（６）は更に好ましくは次の如く設定するのが良い。
5 ＜ νdA ＜ 55        ‥‥‥（６ａ）
条件式（６ａ）は更に好ましくは次の如く設定するのが良い。
7 ＜ νdA ＜ 50        ‥‥‥（６ｂ）
条件式（６ｂ）は更に好ましくは次の如く設定するのが良い。
【００６８】
10 ＜ νdA ＜45        ‥‥‥（６ｃ）
条件式（４）や条件式（６）を満足する光学素子Ａを構成する材料（以下「光学材料」ともいう。）の具体例としては、例えば樹脂がある。様々な樹脂の中でも特にＵＶ硬化樹脂（Ｎｄ＝１．６３５，νｄ＝２２．７，θｇＦ＝０．６９）やＮ−ポリビニルカルバゾール（Ｎｄ＝１．６９６，νｄ＝１７．７，θｇＦ＝０．６９）は条件式（４）や（６）を満足する光学材料である。尚、条件式（４）や条件式（６）を満足する樹脂であれば、これらに限定するものではない。
【００６９】
また、一般の硝材とは異なる特性を持つ光学材料として、下記の無機酸化物ナノ微粒子（無機微粒子）を合成樹脂（透明媒体）中に分散させた混合体がある。無機酸化物の例としては、ＴｉＯ2（Ｎｄ＝２．３０４，νｄ＝１３．８），Ｎｂ2Ｏ5（Ｎｄ＝２．３６７，νｄ＝１４．０）がある。またＩＴＯ（Ｎｄ＝１．８５７１，νｄ＝５．６８），Ｃｒ2Ｏ3（Ｎｄ＝２．２１７８，νｄ＝１３．４），ＢａＴｉＯ3（Ｎｄ＝２．４３６２，νｄ＝１１．３）等がある。
【００７０】
これらの無機酸化物の中では、ＴｉＯ2（Ｎｄ＝２．３０４，νｄ＝１３．８，θｇＦ＝０．８７）微粒子を合成樹脂中に適切なる体積比で分散させた場合、上記条件式（４）や（６）を満足する光学材料が得られる。ＴｉＯ2は様々な用途で使われる材料であり、光学分野では反射防止膜などの光学薄膜を構成する蒸着用材料として用いられている。他にも光触媒、白色顔料などとして、またＴｉＯ2微粒子は化粧品材料として用いられている。
【００７１】
また上記の無機酸化物の中でＩＴＯ微粒子（Ｎｄ＝１．８５７１、νｄ＝５．６８、θｇＦ＝０．２９）を合成樹脂中に適切なる体積比で分散させた場合、上記条件式（５）や（６）を満足する光学材料が得られる。ＩＴＯは、一般的には透明電極を構成する材料として知られており、通常、液晶表示素子、ＥＬ素子等、他の用途として赤外線遮蔽素子、紫外線遮断素子に用いられている。
【００７２】
各実施例において合成樹脂に分散させるＴｉＯ2微粒子やＩＴＯ微粒子の平均径は、散乱などの影響を考えると２ｎｍ〜５０ｎｍ程度がよく、凝集を抑えるために分散剤などを添加しても良い。またＴｉＯ2やＩＴＯを分散させる合成樹脂材料としては、ポリマーが良く、成形型等を用いて光重合成形または熱重合成形することにより高い量産性を得ることができる。
【００７３】
そして、合成樹脂の光学定数の特性としても、部分分散比が比較的大きい合成樹脂、あるいはアッベ数が比較的小さい合成樹脂か、両者を満たす合成樹脂が良く、Ｎ−ポリビニルカルバゾール、スチレン、ポリメタクリル酸メチル（アクリル）、などが適用できる。後述する実施例ではＴｉＯ2微粒子やＩＴＯ微粒子を分散させる合成樹脂としてＵＶ硬化樹脂、Ｎ−ポリビニルカルバゾールを用いている。しかし、これに限定するものではない。
【００７４】
ナノ微粒子を分散させた混合体の分散特性Ｎ（λ）は、良く知られたＤｒｕｄｅの式から導きだされた次式によって簡単に計算することができる。即ち、波長λにおける屈折率Ｎ（λ）は、
Ｎ(λ)＝［１＋Ｖ｛ＮM2(λ)−１｝＋（１−Ｖ）｛ＮP2(λ)−１｝］1/2‥‥‥（Ａ）
である。ここで、λは任意の波長、ＮMはＴｉＯ2やＩＴＯの屈折率、ＮPは合成樹脂の屈折率、Ｖは合成樹脂体積に対するＴｉＯ2微粒子やＩＴＯ微粒子の総体積の分率である。
【００７５】
また光学素子Ａとして回折光学素子を用いても良い。回折光学素子であれば、球面収差やコマ収差など単波長の収差に与える影響を少なくしつつ、大きな色収差の補正効果が得られる。このため、ｇ線とＦ線の間の軸上色収差の補正が容易になるため好ましい。また各実施例において、光学素子Ａは回折光学素子であっても良い。
【００７６】
無限遠物体に合焦時の第１レンズ群Ｌ１と第２レンズ群Ｌ２の合成焦点距離をf12とする。第１レンズ群Ｌ１に含まれる正レンズのパワーの総和をφPSUM、負レンズのパワーの総和をφNSUMとする。物体側から像側へ順に、第１レンズ群Ｌ１は、正レンズ、物体側に凸面を向けたメニスカス形状の正レンズ、接合レンズを有する。メニスカス形状の正レンズの物体側面の曲率半径をＲＭ１、像側面の曲率半径をＲＭ２、メニスカス形状の正レンズの材料のアッベ数をνMとする。
【００７７】
第１レンズ群Ｌ１と第２レンズ群Ｌ２に配置されている物体側から数えて第ｉ番目のレンズＧｉの材料の部分分散比差をΔθgFGi、アッベ数をνdGi、パワーをφGiとする。最も物体側のレンズの物体側面頂点から前記開口部ＳＰまでの光軸上の長さをd-spとする。このとき、次の条件式のうち１以上を満足するのが良い。
【００７８】
2.0＜f2/(f12×L)＜10.0        ・・・（７）
1.4＜φPSUM/│φNSUM│＜3.0    ・・・（８）
0.1＜(ＲＭ２−ＲＭ１)/(ＲＭ１＋ＲＭ２)＜0.5      ・・・（１４）
15＜νM＜30                    ・・・（１５）
【００７９】
【数１】
0005726004.tif 000002
【００８０】
4.0＜f2/(d-sp×L)＜8.0        ・・・（１７）
ただしΣは総和を表し、nは第１レンズ群Ｌ１及び第２レンズ群Ｌ２に配置されたレンズの枚数を表す。νdGiとΔθgFGiは、第１レンズ群Ｌ１から第２レンズ群Ｌ２までの各レンズを構成する材料のｄ線における屈折率をＮdGi、ｇ線における屈折率をＮgGi、Ｃ線における屈折率をＮCGi、Ｆ線における屈折率をＮFGiとする。このとき次に示す式で定義するものである。
【００８１】
νdGi＝（ＮdGi−1）／（ＮFGi−ＮCGi）
θgFGi＝（ＮgGi−ＮFGi）／（ＮFGi−ＮCGi）
ΔθgFGi＝θgFGi−（−1.61783×10-3×νdGi＋0.64146）
条件式（７）は第１レンズ群Ｌ１と第２レンズ群Ｌ２の合成焦点距離に関する。
【００８２】
条件式（７）の上限値を超えると、第１レンズ群Ｌ１と第２レンズ群Ｌ２の合成パワーが大きくなりすぎるため、レンズ全長の短縮には効果はある。しかしながら、第１レンズ群Ｌ１と第２レンズ群Ｌ２で発生する球面収差とコマ収差が増大し、全系としてこれらの収差が残存してしまうため好ましくない。また下限値を超えると第１レンズ群Ｌ１と第２レンズ群Ｌ２の合成パワーが小さくなりすぎるため、レンズ全長の短縮効果が得られにくくなるので好ましくない。
【００８３】
条件式（７）は更に好ましくは次の如く設定するのが良い。
2.2＜f2/(f12×L)＜8.0      ・・・（７ａ）
また条件式（７ａ）は更に好ましくは次の如く設定するのが良い。
2.3＜f2/(f12×L)＜7.0      ・・・（７ｂ）
条件式（８）は第１レンズ群Ｌ１中の正レンズと負レンズのパワー比に関する。条件式（８）の上限値を超えると、第１レンズ群Ｌ１中の負レンズのパワーに比べて正レンズのパワーが大きくなりすぎる。そうすると、正レンズで発生した色収差も含めた諸収差を負レンズでキャンセルするのが難しくなり、特に色収差に関しては軸上色収差や倍率色収差共にＣ線とＦ線との間の色収差が残存してしまうため好ましくない。
【００８４】
一方、下限値を超えると、第１レンズ群Ｌ１中の負レンズのパワーに比べて正レンズのパワーが小さくなりすぎる。そうすると第１レンズ群Ｌ１のレンズ群の厚みが厚くなり、レンズ全長の短縮効果が薄れてしまうので好ましくない。
【００８５】
条件式（８）は更に好ましくは次の如く設定するのが良い。
1.4＜φPSUM/│φNSUM│＜2.7      ・・・（８ａ）
また条件式（８ａ）は更に好ましくは次の如く設定するのが良い。
1.4＜φPSUM/│φNSUM│＜2.4      ・・・（８ｂ）
また条件式（８ｂ）は更に好ましくは次の如く設定するのが良い。
1.4＜φPSUM/│φNSUM│＜2.1      ・・・（８ｃ）
条件式（１４）は第１レンズ群Ｌ１中のメニスカス形状の正レンズのレンズ形状に関する。
【００８６】
条件式（１４）の上限値を超えると、メニスカス形状の正レンズの物体側面と像側面の曲率半径の差が大きくなりすぎる。そうするとパワーが大きくなるため、正のパワーの分担をしやすい反面、レンズへの入射光と射出光の角度差が大きくなるため微小な収差の補正がしづらくなり、球面収差やコマ収差が残存してしまう。下限値を超えるとメニスカス形状の正レンズの物体側面と像側面の曲率半径の差が小さくなりすぎてしまい、収差補正の効果が小さくなってしまうため好ましくない。条件式（１４）は更に好ましくは次の如く設定するのが良い。
【００８７】
0.11＜(ＲＭ２−ＲＭ１)/(ＲＭ１＋ＲＭ２)＜0.4      ・・・（１４ａ）
条件式（１５）は第１レンズ群Ｌ１中のメニスカス形状の正レンズの材料のアッベ数に関する。条件式（１５）の上限値を超えると、メニスカス形状の正レンズが低分散となる。そうすると色収差のうち特にＣ線とＦ線間の軸上色収差が補正過剰となってしまい、倍率色収差とバランスして十分に補正できなくなるため好ましくない。
【００８８】
また、下限値を超えるとメニスカス形状の正レンズが高分散になりすぎる。そうすると色収差のうち特にｇ線とＦ線との間の軸上色収差が補正過剰、そしてＣ線とＦ線との間の軸上色収差が補正不足となってしまい十分に補正できなくなるため好ましくない。条件式（１５）は更に好ましくは次の如く設定するのが良い。
【００８９】
17＜νM＜30    ・・・（１５ａ）
また条件式（１５ａ）は更に好ましくは次の如く設定するのが良い。
23＜νM＜30    ・・・（１５ｂ）
条件式（１６）は第１レンズ群Ｌ１と第２レンズ群Ｌ２に配置されている物体側から数えて第ｉ番目のレンズＧｉの色収差補正力に関する。
【００９０】
第１レンズ群Ｌ１と第２レンズ群Ｌ２の各レンズには、軸上近軸光線が光軸から高い位置を通過し、かつ軸外主光線がレンズの周辺部分を通る。このような位置では収差補正上、軸上色収差と倍率色収差の両方の寄与率が高いため、各レンズ群内のレンズは色収差補正力の大きな材料と適切なパワーで構成されることが好ましい。
【００９１】
しかしながら、色収差補正力が極端に大きくなると過補正を招き、全系としての色収差が残存してしまうため、適切な範囲にコントロールすることが好ましい。条件式（１６）の上限値又は下限値を超えると、軸上色収差と倍率色収差共に、ｇ線とＦ線との間の色収差とＣ線とＦ線との間の色収差のバランスが取れなくなり、全体として色収差が残存してしまうため好ましくない。条件式（１６）は更に好ましくは次の如く設定するのが良い。
【００９２】
【数２】
0005726004.tif 000003
また条件式（１６ａ）は更に好ましくは次の如く設定するのが良い。
【００９３】
【数３】
0005726004.tif 000004
条件式（１７）は開口部ＳＰの位置に関する。条件式（１７）の上限値（又は下限値）を超えると、開口部ＳＰが物体側（又は像側）へ寄りすぎる。そうすると軸外光束を十分に取り込もうとすると第１レンズ群Ｌ１のレンズ有効径が大きくなってしまい、第１レンズ群Ｌ１の重量が増加してくるので好ましくない。また開口部ＳＰは機構的に開口径を変化させることができる開口絞りとしてもよい。条件式（１７）は更に好ましくは次の如く設定するのが良い。
【００９４】
4.5＜f2/(d-sp×L)＜7.5      ・・・（１７ａ）
また条件式（１７ａ）は更に好ましくは次の如く設定するのが良い。
5.0＜f2/(d-sp×L)＜7.0      ・・・（１７ｂ）
開口部ＳＰから光軸方向像側への距離をdsp-R、開口部ＳＰから像面までの光軸上の長さをdsp-imgとする。このとき、
0.30 ＜ dsp-R/dsp-img ＜1.00    ・・・（９）
を満足する距離dsp-Rの範囲内に少なくとも物体側頂点が位置する光学素子Ｒを少なくとも１つ有している。
【００９５】
そして光学素子ＲのパワーをφR、光学素子Ｒを構成する材料のｄ線基準のアッベ数をνdR、部分分散比差をΔθgFRとする。光学素子Ａを複数有するときは、物体側から数えて第ｉ番目の光学素子ＡｉのパワーをφAi、材料のアッベ数をνdAi、部分分散比差をΔθgFAiとする。光学素子Ｒを複数有するときは物体側から数えて第ｋ番目の光学素子ＲkのパワーをφRk、材料のアッベ数をνdRk、部分分散比差をΔθgFRkとする。
【００９６】
光学素子Ｒの部分分散比をθgFR、光学素子Ｒを構成する材料の光学特性Ｒθ1を、
Ｒθ1＝θgFR−θgFBR1
θgFBR1＝−１×10-9×νdR4＋5×10-8×νdR3＋7.5×10-5×νdR2−7×10-3×νdR＋0.721
とおく。
【００９７】
光学素子Ｒを構成する材料の光学特性Ｒθ2を、
Ｒθ2＝θgFR−θgFBR2
θgFBR2＝−１.67×10-7×νdR3＋5.21×10-5×νdR2−5.66×10-3×νdR＋0.7278
とおく。このとき次の条件式のうち１以上を満足するのが良い。
【００９８】
【数４】
0005726004.tif 000005
0.0272＜Ｒθ1＜0.3000        ・・・（１１）
−0.5000＜Ｒθ2＜−0.0272    ・・・（１２）
5＜νdR＜60                  ・・・（１３）
ただしΣは総和を表し、nAは光学素子Ａの枚数、mRは光学素子Ｒの枚数を表し、i、kは光学素子Ａや光学素子Ｒが複数ある場合の物体側から順につけた番号である。光学素子Ａや光学素子Ｒが複数ある場合は、各総和をとってから掛けるという意味である。
【００９９】
そしてνdRk、ΔθgFRkは、光学素子Ｒのｄ線における屈折率をＮdRk、ｇ線における屈折率をＮgRk、Ｃ線における屈折率をＮCRk、Ｆ線における屈折率をＮFRkとすると次に示す式で定義するものである。
【０１００】
νdRk＝（ＮdRk−1）／（ＮFRk−ＮCRk）
θgFRk＝（ＮgRk−ＮFRk）／（ＮFRk−ＮCRk）
ΔθgFRk＝θgFRk−（−1.61783×10-3×νdRk＋0.64146）
条件式（９）乃至（１２）を満足する光学素子Ｒを開口部ＳＰよりも像側で、かつ開口部ＳＰから光軸方向に遠い位置に配置すると、軸上色収差にあまり影響を与えずに、倍率色収差の補正を行えるため、結像性能の更なる向上のために好ましい。
【０１０１】
まずは条件式（９）を満足する範囲の位置に光学素子Ｒを配置することが好ましい。光学素子Ｒの配置位置が開口部ＳＰから遠ければ遠いほど、軸外主光線がレンズのより周辺部を通るようになるため、小さなパワーで倍率色収差補正を行うことが容易となる。このため、単色の収差への影響を最小限に抑えつつ倍率色収差補正を行うことが容易になる。
【０１０２】
条件式（９）の上限値は像面にあたるため上限値を超えることはない。一方、条件式（９）の下限値を超えると、光学素子Ｒの位置が開口部ＳＰに近くなり、軸外主光線がレンズの中央付近を通るような位置になる。この位置において倍率色収差を補正しようとすると強いパワーが必要になり、単色収差にも影響を与えるようになる。そうすると倍率色収差と単色収差のバランスを取ることが難しくなるため好ましくない。
【０１０３】
条件式（９）は更に好ましくは次の如く設定するのが良い。
0.35 ＜ dsp-R/dsp-img ＜0.900      ・・・（９ａ）
また条件式（９ａ）は更に好ましくは次の如く設定するのが良い。
0.40 ＜ dsp-R/dsp-img ＜0.900      ・・・（９ｂ）
条件式（１０）は光学素子Ａと光学素子Ｒのパワーバランスに関わる。条件式（１０）の上限値または下限値を超えると、ｇ線とＦ線との間の軸上色収差と倍率色収差とのバランスを取ることが難しくなり、どちらかが残存してしまうため好ましくない。条件式（１０）は更に好ましくは次の如く設定するのが良い。
【０１０４】
【数５】
0005726004.tif 000006
図１６は条件式（１１）、（１２）、（１３）の範囲を図示した説明図である。条件式（１１）、（１２）は光学素子Ｒの材料の部分分散比に関する。条件式（１１）の上限値を超えると、他の一般的な材料と比較して光学素子Ｒの部分分散比が大きくなりすぎてしまう。そうすると特に短波長側の倍率色収差が過補正になってしまうため好ましくない。
【０１０５】
一方、条件式（１１）の下限値を超えると、光学素子Ｒの部分分散比が小さくなり、異常分散性が小さい他の一般的な材料と同程度になってしまう。そうすると特に短波長側の倍率色収差が補正不足となるため好ましくない。条件式（１１）は更に好ましくは次の如く設定するのが良い。
【０１０６】
0.0320 ＜ Ｒθ1 ＜ 0.2700        ‥‥‥（１１ａ）
また条件式（１１ａ）は更に好ましくは次の如く設定するのが良い。
0.0400 ＜ Ｒθ1 ＜ 0.2500        ‥‥‥（１１ｂ）
また条件式（１１ｂ）は更に好ましくは次の如く設定するのが良い。
0.0550 ＜ Ｒθ1 ＜ 0.2200        ‥‥‥（１１ｃ）
条件式（１２）の上限値を超えると、光学素子Ｒの部分分散比が大きくなり、異常分散性が小さい他の一般的な材料と同程度になってしまう。そうすると特に短波長側の倍率色収差が補正不足になってしまうため好ましくない。
【０１０７】
一方、条件式（１２）の下限値を超えると、他の一般的な材料と比較して光学素子Ｒの部分分散比が小さくなりすぎてしまう。そうすると特に短波長側の倍率色収差が過補正となるため好ましくない。条件式（１２）は更に好ましくは次の如く設定するのが良い。
【０１０８】
−0.5000 ＜ Ｒθ2 ＜ −0.0280        ‥‥‥（１２ａ）
また条件式（１２ａ）は更に好ましくは次の如く設定するのが良い。
−0.4700 ＜ Ｒθ2 ＜ −0.0290        ‥‥‥（１２ｂ）
また条件式（１２ｂ）は更に好ましくは次の如く設定するのが良い。
−0.4600 ＜ Ｒθ2 ＜ −0.0300        ‥‥‥（１２ｃ）
条件式（１３）は光学素子Ｒの材料のアッベ数に関する。
【０１０９】
条件式（１３）の上限値を超えると、光学素子Ｒの材料のアッベ数が大きくなり、低分散となる。そうすると短波長側の倍率色収差を補正しようとすると大きなパワーが必要となり、長波長側の色収差とのバランスがとれなくなるため好ましくない。一方、条件式（１３）の下限値を超えると、光学素子Ｒの材料のアッベ数が小さくなり、高分散となる。そうすると特に短波長側の倍率色収差は弱いパワーで補正しやすくなるが、少なからずとも影響を受ける軸上色収差には補正方向が逆に働くため、軸上色収差と倍率色収差のバランスが取りにくくなくなるので好ましくない。条件式（１３）は更に好ましくは次の如く設定するのが良い。
【０１１０】
5 ＜ νdR ＜ 55        ‥‥‥（１３ａ）
また条件式（１３ａ）は更に好ましくは次の如く設定するのが良い。
7 ＜ νdR ＜ 50        ‥‥‥（１３ｂ）
また条件式（１３ｂ）は更に好ましくは次の如く設定するのが良い。
10 ＜ νdR ＜ 45        ‥‥‥（１３ｃ）
条件式（１１）、（１２）、（１３）を満足する光学素子Ｒを構成する材料の具体例としては、前述した光学素子Ａを構成する材料と同じである。以上のように各実施例によれば画面内全体に渡って色収差を補正し、高い光学性能を持った撮影光学系が得られる。
【０１１１】
次に各実施例のレンズ構成の特徴について説明する。各レンズに付した符号のレンズは前述した各レンズに付した符号のレンズと対応している。まず各実施例で共通しているレンズ構成を説明する。各実施例の撮影光学系では、最も物体側から順に正のパワー（屈折力）の第１レンズ群Ｌ１、負のパワーの第２レンズ群Ｌ２、正又は負のパワーの第３レンズ群Ｌ３より構成されている。そして第１レンズ群Ｌ１よりも像側に開口部ＳＰを有している。また第３レンズ群Ｌ３は、正又は負のパワーの第３１レンズ群Ｌ３１と、負のパワーの第３２レンズ群Ｌ３２と正のパワーの第３３レンズ群Ｌ３３より成っている。
【０１１２】
そして撮影光学系が振動した時の撮影画像のブレの補正（振動補償）を第３２レンズ群Ｌ３２を可動レンズ群（画像変位補正群）とする。そして、矢印ＬＴの如く光軸と直交する方向の成分を持つように移動させて行なっている。実施例７以外の各実施例については第１レンズ群Ｌ１内に回折光学素子ＤＯＥを使用している。また実施例１４では光学素子Ａとしても回折光学素子ＤＯＥを使用している。
【０１１３】
レンズ断面図において、ＤＯＥは回折光学素子である。Ｄは回折光学素子ＤＯＥの一部を構成する回折光学部（回折光学面）である。回折光学部Ｄより生ずる回折光のうち、各実施例で用いる回折光の回折次数ｍは１であり、設計波長λ0はｄ線の波長（５８７．５６ｎｍ）である。なお撮影光学系Ｌ０に設ける回折光学面Ｄは１つに限らず複数用いても良く、これによれば更に良好な光学性能が得られる。また回折光学面Ｄは球面に限らず非球面をベースとしても良く、ベースの材質は光を透過するものであればガラスでもプラスチックでも良い。
【０１１４】
回折格子の形状は、その２ｉ次項の位相係数をＣ2iとした時、光軸からの距離Ｈにおける位相φ（Ｈ）は次式で表される。ただしｍは回折次数、λ0は基準波長である。
【０１１５】
【数６】
0005726004.tif 000007
【０１１６】
一般に、レンズ、プリズム等の屈折光学材料のアッベ数（分散値）νdは、ｄ、Ｃ、Ｆ
線の各波長における屈折力をＮd、ＮC、ＮFとした時、次式で表される。
【０１１７】
νd＝（Ｎd−１）／（ＮF−ＮC）＞0      ・・・（ｂ）
一方、回折光学部のアッベ数νdはｄ、Ｃ、Ｆ線の各波長をλd、λC、λFとした時
νd＝λd／（λF−λC）                ・・・（ｃ）
と表され、νd＝−3.453となる。また部分分散比θgFは
θgF＝（λg−λF）／（λF−λC）        ・・・（ｄ）
と表され、θgF＝0.2956となる。
【０１１８】
そして部分分散比差は、
ΔθgF＝θgF−（−1.61783×10-3×νd＋0.64146）      ・・・（ｅ）
の定義式より、ΔθgF＝−0.35145となる。これにより、任意波長における分散性は、屈折光学素子と逆作用を有する。また、回折光学部の基準波長における近軸的な一時回折光（ｍ ＝ １）の屈折力φDは、回折光学部の位相を表す前式（ａ）から２次項の係数をＣ2とした時、φD= −2・Ｃ2と表される。これより回折光学素子ＤＯＥの回折成分のみによる焦点距離ｆDOEは
【０１１９】
【数７】
0005726004.tif 000008
となる。さらに、任意波長をλ、基準波長をλ０とした時、任意波長の基準波長に対する
屈折力変化は、次式となる。
【０１２０】
φD’＝（λ／λ0）×（−2・Ｃ2）            ・・・（ｇ）
これにより、回折光学部の特徴として、前式（ａ）の位相係数Ｃ2を変化させることにより、弱い近軸屈折力変化で大きな分散性が得られる。これは色収差以外の諸収差に大きな影響を与えることなく、色収差の補正を行うことを意味している。また位相係数Ｃ4以降の高次数の係数については、回折光学部の光線入射高の変化に対する屈折力変化は非球面と類似した効果を得ることができる。それと同時に、光線入射高の変化に応じて基準波長に対し任意波長の屈折力変化を与えることができる。このため、倍率色収差の補正に有効である。
【０１２１】
さらに本発明の撮影光学系のように、軸上光線がレンズ面を通過する際、光軸からの高さが高い位置を通過する面に回折光学素子を配置すれば、軸上色収差の補正にも有効である。次に各実施例における詳細な構成について説明する。
【０１２２】
［実施例１］
図１（Ａ）の実施例１の撮影光学系Ｌ０について説明する。第１レンズ群Ｌ１はメニスカス形状の正レンズを含む３つの正レンズと１つの負レンズで構成されている。接合レンズは１つあり、前記接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１２３】
第１レンズ群Ｌ１の最も物体側の正レンズとメニスカス形状の正レンズの物体側の空気に接するレンズ面は非球面である。そして第２レンズ群Ｌ２は正レンズと負レンズを接合した接合レンズから構成されている。また軸上最大光束径を決定している開口部ＳＰは、開口径可変の開口絞りとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは２つの正レンズと１つの負レンズからなる接合レンズであり、負レンズが光学素子Ａに相当している。
【０１２４】
そして像側の接合レンズは１つの正レンズと１つの負レンズからなる接合レンズで構成されている。また像側の接合レンズの最も物体側の面は非球面である。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの正レンズと１つの負レンズからなる接合レンズである。また像側の接合レンズは１つの正レンズと２つの負レンズからなる接合レンズであり、２つの負レンズの両方が光学素子Ｒに相当している。
【０１２５】
また、第３３レンズ群Ｌ３３の最も物体側の正レンズの物体側面と、前記２組の接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１２６】
［実施例２］
図２（Ａ）の実施例２の撮影光学系Ｌ０について説明する。第１レンズ群Ｌ１はメニスカス形状の正レンズを含む４つの正レンズと１つの負レンズで構成されている。接合レンズは２つあり、物体側の正レンズ同士の接合レンズは回折光学素子ＤＯＥを構成している。回折光学素子ＤＯＥを構成する回折光学部Ｄは、この接合レンズの接合面に配置されている。
【０１２７】
条件式(１４)に対応するメニスカス形状の正レンズは物体側から数えて１番目と３番目の正レンズである。また条件式（１５）に対応するメニスカス形状の正レンズは物体側から数えて３番目の正レンズである。第１レンズ群Ｌ１の接合レンズ、単レンズともに、物体側の空気に接するレンズ面は非球面形状である。そして第２レンズ群Ｌ２は正レンズと負レンズの接合レンズから構成されている。
【０１２８】
更に第３レンズ群Ｌ３において、第３１レンズ群Ｌ３１は、２つの負レンズと１つの正レンズからなる１組の接合レンズから構成され、接合レンズの中央の負レンズが光学素子Ａに相当している。そして第３２レンズ群Ｌ３２は、正レンズと負レンズを接合した１組の接合レンズと、１つの負レンズから構成されている。また軸上最大光束径を決定している開口部ＳＰは、開口径可変の開口絞りとして第３１レンズ群Ｌ３１と第３２レンズ群Ｌ３２の間に配置されている。そして第３３レンズ群Ｌ３３は、１つの正レンズと、１つの負レンズと、２組の接合レンズから構成されている。
【０１２９】
この２組の接合レンズのうち物体側の接合レンズは、１つの正レンズと１つの負レンズからなる接合レンズである。また像側の接合レンズは２つの正レンズと１つの負レンズからなる接合レンズであり、負レンズが光学素子Ｒに相当している。また、第３３レンズ群Ｌ３３の最も物体側の正レンズの物体側面は非球面形状である。尚、無限遠物体から近距離物体へのフォーカシングは第２レンズ群Ｌ２を像面側へ光軸上を移動させることで行なっている。
【０１３０】
［実施例３］
図３（Ａ）の実施例３の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１３１】
第１レンズ群Ｌ１の最も物体側の正レンズとメニスカス形状の正レンズの物体側の空気に接するレンズ面は非球面形状である。そして第２レンズ群Ｌ２は正レンズと負レンズの接合レンズから構成されている。また軸上最大光束径を決定している開口部ＳＰは、開口絞りとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは１つの負レンズと１つの正レンズからなる接合レンズである。
【０１３２】
そして像側の接合レンズは１つの正レンズと２つの負レンズからなる接合レンズであり、中央の負レンズが光学素子Ａに相当している。また像側の接合レンズの最も物体側の面は非球面形状である。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの正レンズと１つの負レンズからなる接合レンズである。
【０１３３】
また像側の接合レンズは１つの正レンズと２つの負レンズからなる接合レンズであり、２つの負レンズの両方が光学素子Ｒに相当している。また、第３３レンズ群Ｌ３３の最も物体側の正レンズの物体側面と、２組の接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１３４】
［実施例４］
図４（Ａ）の実施例４の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１３５】
第１レンズ群Ｌ１の最も物体側の正レンズとメニスカス形状の正レンズの物体側の空気に接するレンズ面は非球面形状である。そして第２レンズ群Ｌ２は正レンズと負レンズの接合レンズから構成されている。更に第３レンズ群Ｌ３において、第３１レンズ群Ｌ３１は、２組の接合レンズから構成されている。物体側の接合レンズは２つの正レンズと１つの負レンズからなる接合レンズであり、負レンズが光学素子Ａに相当している。そして像側の接合レンズは１つの正レンズと１つの負レンズを接合した接合レンズで構成されている。また像側の接合レンズの最も物体側の面は非球面形状である。
【０１３６】
軸上最大光束径を決定している開口部ＳＰは、物体側の接合レンズの最も像側の面に配置されておりこのレンズの有効径で軸上最大光束径を決定している。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの正レンズと１つの負レンズからなる接合レンズである。また像側の接合レンズは２つの負レンズと１つの正レンズからなる接合レンズであり、中央に配置された負レンズが光学素子Ｒに相当している。
【０１３７】
また、第３３レンズ群Ｌ３３の最も物体側の正レンズの物体側面と、接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１３８】
［実施例５］
図５（Ａ）の実施例５の撮影光学系Ｌ０について説明する。第１レンズ群Ｌ１はメニスカス形状の正レンズを含む４つの正レンズと１つの負レンズで構成されている。接合レンズは２つあり、物体側の正レンズ同士の接合レンズは回折光学素子ＤＯＥを構成している。回折光学素子ＤＯＥを構成する回折光学部Ｄは、この接合レンズの接合面に配置されている。条件式(１４)に対応するメニスカス形状の正レンズは物体側から数えて１番目と３番目の正レンズである。
【０１３９】
また条件式（１５）に対応するメニスカス形状の正レンズは物体側から数えて３番目の正レンズである。第１レンズ群Ｌ１の接合レンズ、単レンズともに、物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。
【０１４０】
更に第３レンズ群Ｌ３において、第３１レンズ群Ｌ３１は、２つの負レンズと１つの正レンズを接合した１組の接合レンズから構成され、接合レンズの中央の負レンズが光学素子Ａに相当している。そして第３２レンズ群Ｌ３２は、正レンズと負レンズを接合した１組の接合レンズと、１つの負レンズから構成されている。そして第３３レンズ群Ｌ３３は、１つの正レンズと、１つの負レンズと、２組の接合レンズから構成されている。この２組の接合レンズのうち物体側の接合レンズは、正レンズと負レンズからなる接合レンズである。
【０１４１】
また像側の接合レンズは負レンズと正レンズからなる接合レンズであり、この負レンズが光学素子Ｒに相当している。また、第３３レンズ群Ｌ３３の最も物体側の正レンズの物体側面は非球面形状である。尚、無限遠物体から近距離物体へのフォーカシングは第２レンズ群Ｌ２を像面側へ光軸上を移動させることで行なっている。
【０１４２】
［実施例６］
図６（Ａ）の実施例６の撮影光学系Ｌ０について説明する。第１レンズ群Ｌ１はメニスカス形状の正レンズを含む３つの正レンズと１つの負レンズで構成されている。接合レンズは１つあり回折光学素子ＤＯＥを構成している。回折光学素子ＤＯＥを構成する回折光学部Ｄは、この接合レンズの接合面に配置されている。条件式(１４)，（１５）に対応するメニスカス形状の正レンズは物体側から数えて２番目の正レンズである。第１レンズ群Ｌ１の接合レンズ、単レンズともに、物体側の空気に接するレンズ面は非球面である。
【０１４３】
そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。更に第３レンズ群Ｌ３において、第３１レンズ群Ｌ３１は、２つの負レンズと１つの正レンズを接合した１組の接合レンズから構成され、接合レンズの中央の負レンズが光学素子Ａに相当している。そして第３２レンズ群Ｌ３２は、正レンズと負レンズを接合した１組の接合レンズと、１つの負レンズから構成されている。
【０１４４】
そして第３３レンズ群Ｌ３３は、１つの正レンズと、１つの負レンズと、２組の接合レンズから構成されている。この２組の接合レンズのうち物体側の接合レンズは、正レンズと負レンズからなる接合レンズである。また像側の接合レンズは正レンズと負レンズと正レンズからなる接合レンズであり、この接合レンズの負レンズが光学素子Ｒに相当している。また、第３３レンズ群Ｌ３３の最も物体側の正レンズの物体側面は非球面形状である。尚、無限遠物体から近距離物体へのフォーカシングは第２レンズ群Ｌ２を像面側へ光軸上を移動させることで行なっている。
【０１４５】
［実施例７］
図７（Ａ）の実施例７の撮影光学系Ｌ０について説明する。第１レンズ群Ｌ１はメニスカス形状の正レンズを含む５つの正レンズと２つの負レンズで構成されている。接合レンズは２つあり、接合レンズは負レンズと正レンズの接合レンズである。条件式(１４)に対応するメニスカス形状の正レンズは物体側から数えて２番目と３番目の正レンズである。また条件式（１５）に対応するメニスカス形状の正レンズは物体側から数えて２番目の正レンズである。
【０１４６】
第１レンズ群Ｌ１の最も物体側の正レンズと最も物体側の接合レンズの物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。
【０１４７】
更に第３レンズ群Ｌ３において、第３１レンズ群Ｌ３１は、２組の接合レンズから構成されている。物体側の接合レンズは２つの正レンズと１つの負レンズからなる接合レンズであり、負レンズが光学素子Ａに相当している。
【０１４８】
そして像側の接合レンズは１つの正レンズと１つの負レンズからなる接合レンズで構成されている。また像側の接合レンズの最も物体側の面は非球面形状である。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの正レンズと１つの負レンズからなる接合レンズである。また像側の接合レンズは１つの正レンズと２つの負レンズからなる接合レンズであり、中央の負レンズが光学素子Ｒに相当している。
【０１４９】
また、第３３レンズ群Ｌ３３の最も物体側の正レンズの物体側面と、接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１５０】
［実施例８］
図８（Ａ）の実施例８の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１５１】
第１レンズ群Ｌ１の最も物体側の正レンズと２番目の正レンズの物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。
【０１５２】
更に第３レンズ群Ｌ３において、第３１レンズ群Ｌ３１は、２組の接合レンズから構成されている。物体側の接合レンズは２つの負レンズと１つの正レンズからなる接合レンズであり、中央の負レンズが光学素子Ａに相当している。そして像側の接合レンズは１つの正レンズと１つの負レンズからなる接合レンズで構成されている。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。
【０１５３】
物体側の接合レンズは、１つの負レンズと１つの正レンズからなる接合レンズである。また像側の接合レンズは１つの正レンズと２つの負レンズからなる接合レンズであり、２つ負レンズの両方が光学素子Ｒに相当している。また、第３３レンズ群Ｌ３３の最も物体側の正レンズの物体側面は非球面形状である。尚、無限遠物体から近距離物体へのフォーカシングは第２レンズ群Ｌ２を像面側へ光軸上を移動させることで行なっている。
【０１５４】
［実施例９］
図９（Ａ）の実施例９の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１５５】
第１レンズ群Ｌ１の最も物体側の正レンズとメニスカス形状の正レンズの物体側の空気に接するレンズ面は非球面形状である。そして第２レンズ群Ｌ２は正レンズと負レンズの接合レンズから構成されている。更に第３レンズ群Ｌ３において、第３１レンズ群Ｌ３１は、３組の接合レンズから構成されている。最も物体側の接合レンズは正レンズと負レンズからなる接合レンズであり、負レンズが光学素子Ａに相当している。そして次の接合レンズは負レンズと正レンズからなる接合レンズである。更に最も像側の接合レンズは正レンズと負レンズからなる接合レンズである。
【０１５６】
また最も像側の接合レンズの最も物体側の面は非球面形状である。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの正レンズと１つの負レンズからなる接合レンズである。また像側の接合レンズは１つの正レンズと２つの負レンズからなる接合レンズであり、２つの負レンズの両方が光学素子Ｒに相当している。
【０１５７】
また、第３３レンズ群Ｌ３３の最も物体側の正レンズの物体側面と、２組の接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１５８】
［実施例１０］
図１０（Ａ）の実施例１０の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１５９】
第１レンズ群Ｌ１の最も物体側の正レンズとメニスカス形状の正レンズの物体側の空気に接するレンズ面は非球面形状である。そして第２レンズ群Ｌ２は正レンズと負レンズの接合レンズから構成されている。更に第３レンズ群Ｌ３において、第３１レンズ群Ｌ３１は、２組の接合レンズから構成されている。物体側の接合レンズは１つの負レンズと２つの正レンズからなる接合レンズであり、中央の正レンズが光学素子Ａに相当している。そして像側の接合レンズは１つの正レンズと１つの負レンズからなる接合レンズで構成されている。また像側の接合レンズの最も物体側の面は非球面形状である。
【０１６０】
そして第３２レンズ群Ｌ３２は、正レンズと負レンズを接合した１組の接合レンズと、１つの負レンズから構成されている。また軸上最大光束径を決定している開口部ＳＰは、開口径可変の開口絞りとして第２レンズ群Ｌ２と第３レンズ群Ｌ３の間に配置されている。そして第３３レンズ群Ｌ３３は、１つの正レンズと、２組の接合レンズから構成されている。物体側の接合レンズは１つの正レンズと１つの負レンズからなる接合レンズである。また像側の接合レンズは２つの正レンズと１つの負レンズからなる接合レンズであり、中央の正レンズと負レンズが光学素子Ｒに相当している。
【０１６１】
また、第３３レンズ群Ｌ３３の最も物体側の正レンズの物体側面と、２組の接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１６２】
［実施例１１］
図１１（Ａ）の実施例１１の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１６３】
第１レンズ群Ｌ１の最も物体側の正レンズとメニスカス形状の正レンズの物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。
【０１６４】
更に第３レンズ群Ｌ３において、第３１レンズ群Ｌ３１は、２組の接合レンズから構成されている。物体側の接合レンズは１つの負レンズと２つの正レンズからなる接合レンズであり、中央の正レンズが光学素子Ａに相当している。
【０１６５】
そして像側の接合レンズは１つの正レンズと１つの負レンズからなる接合レンズで構成されている。また像側の接合レンズの最も物体側の面は非球面形状である。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは１つの正レンズと１つの負レンズからなる接合レンズである。また像側の接合レンズは１つの正レンズと２つの負レンズからなる接合レンズであり、２つの負レンズの両方が光学素子Ｒに相当している。
【０１６６】
また、第３３レンズ群Ｌ３３の最も物体側の正レンズの物体側面と、前記２組の接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１６７】
［実施例１２］
図１２（Ａ）の実施例１２の撮影光学系Ｌ０について説明する。第１レンズ群Ｌ１はメニスカス形状の正レンズを含む３つの正レンズと１つの負レンズで構成されている。接合レンズは１つあり、前記接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１６８】
第１レンズ群Ｌ１の最も物体側の正レンズと２番目の正レンズの物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは１つの負レンズと２つの正レンズからなる接合レンズであり、中央の正レンズが光学素子Ａに相当している。
【０１６９】
そして像側の接合レンズは１つの正レンズと１つの負レンズからなる接合レンズで構成されている。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、負レンズと正レンズからなる接合レンズである。また像側の接合レンズは正レンズと負レンズからなる接合レンズであり、負レンズが光学素子Ｒに相当している。また、第３３レンズ群Ｌ３３の最も物体側の正レンズの物体側面は非球面形状である。
【０１７０】
尚、無限遠物体から近距離物体へのフォーカシングは第２レンズ群Ｌ２を像面側へ光軸上を移動させることで行なっている。
【０１７１】
［実施例１３］
図１３（Ａ）の実施例１３の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１７２】
第１レンズ群Ｌ１の最も物体側の正レンズと２番目の正レンズの物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは１つの負レンズと２つの正レンズからなる接合レンズであり、中央の正レンズが光学素子Ａに相当している。
【０１７３】
そして像側の接合レンズは１つの正レンズと１つの負レンズからなる接合レンズで構成されている。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの負レンズと１つの正レンズからなる接合レンズである。また像側の接合レンズは１つの正レンズと２つの負レンズからなる接合レンズであり、２つの負レンズの双方が光学素子Ｒに相当している。
【０１７４】
また、第３３レンズ群Ｌ３３の最も物体側の正レンズの物体側面は非球面形状である。尚、無限遠物体から近距離物体へのフォーカシングは第２レンズ群Ｌ２を像面側へ光軸上を移動させることで行なっている。
【０１７５】
［実施例１４］
図１４（Ａ）の実施例１４の撮影光学系Ｌ０について説明する。第１レンズ群Ｌ１はメニスカス形状の正レンズを含む３つの正レンズと１つの負レンズで構成されている。接合レンズは１つあり、接合レンズは回折光学素子ＤＯＥを構成している。回折光学素子ＤＯＥを構成する回折光学部Ｄは、接合レンズの接合面に配置されている。条件式(１４)，（１５）に対応するメニスカス形状の正レンズは物体側から数えて２番目の正レンズである。
【０１７６】
第１レンズ群Ｌ１の最も物体側の正レンズとメニスカス形状の正レンズの物体側の空気に接するレンズ面は非球面形状である。そして第２レンズ群Ｌ２は正レンズと負レンズの接合レンズから構成されている。また軸上最大光束径を決定している開口部ＳＰは、開口径可変の開口絞りとして第２レンズ群Ｌ２と第３レンズ群Ｌ３の間に配置されている。更に第３レンズ群Ｌ３において、第３１レンズ群Ｌ３１は、２組の接合レンズから構成されている。物体側の接合レンズは負レンズと正レンズからなる接合レンズであり、回折光学素子ＤＯＥを構成し、接合面に回折光学部Ｄが配置されている。
【０１７７】
この回折光学素子ＤＯＥが光学素子Ａに相当している。そして像側の接合レンズは正レンズと負レンズからなる接合レンズで構成されている。また像側の接合レンズの最も物体側の面は非球面形状である。そして第３２レンズ群Ｌ３２は、正レンズと負レンズを接合した１組の接合レンズと、１つの負レンズから構成されている。そして第３３レンズ群Ｌ３３は、１つの正レンズと、２組の接合レンズから構成されている。物体側の接合レンズは、１つの正レンズと１つの負レンズからなる接合レンズである。
【０１７８】
また像側の接合レンズは１つの正レンズと２つの負レンズからなる接合レンズであり、２つの負レンズの両方が光学素子Ｒに相当している。また、第３３レンズ群Ｌ３３の最も物体側の正レンズの物体側面と、２組の接合レンズのうち物体側の接合レンズの最も像側の面は非球面形状である。尚、無限遠物体から近距離物体へのフォーカシングは第２レンズ群Ｌ２を像面側へ光軸上を移動させることで行なっている。
【０１７９】
以下に本発明の実施例１〜１４に対応する数値実施例１〜１４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。ｆ、Fno、２ωはそれぞれ無限遠物体に焦点を合わせたときの全系の焦点距離、Ｆナンバー、画角（度）を表している。BFはバックフォーカスであり、最終面（ガラス面）から像面までの距離で表している。レンズ全長は第１レンズ面から像面までの距離で表している。
【０１８０】
各数値実施例において最も像側の２つの面はフィルター等のガラスブロックである。回折光学素子（回折面）は前述（ａ）式の位相関数の位相係数を与えることで表している。非球面形状は光軸方向にＸ軸、光軸と垂直方向にＨ軸、光の進行方向を正、Ｒを近軸曲率半径、ｋを離心率、A4、A6、A8、A10を各々非球面係数としたとき、
【０１８１】
【数８】
0005726004.tif 000009
【０１８２】
なる式で表している。また例えば「ｅ−Ｚ」の表示は「１０−Ｚ」を意味する。表１、表２、表３に、前記光学素子Ａ及びＲの材料特性、及び用いている数値実施例の番号を示す。またＴｉＯ2やＩＴＯの微粒子分散材料の屈折率は、前述の（Ａ）式を用いて計算した値を用いて算出している。そして、前述の各条件式と数値実施例における諸数値との関係を表４に示す。
【０１８３】
（数値実施例１）
f= 585.00mm  Fno= 4.12  ２ω= 4.24
面番号       r        d      nd       νd    有効径    θgF     ΔθgF
1(非球面)143.500   27.89   1.48749   70.2  141.99    0.53026   0.00244
2       -344.515    0.10                   140.84    
3(非球面)110.105   11.37   1.80518   25.4  124.25    0.61655   0.01623
4        152.607   29.31                   120.53    
5        336.541    4.20   1.80000   29.8   98.17    0.60187   0.00870
6(回折)   61.502   23.85   1.49700   81.5   85.53    0.53859   0.02916
7       -351.226   19.00                    83.47    
8       1249.400    5.00   1.80809   22.8   62.48    0.63070   0.02607
9       -218.694    4.00   1.74950   35.3   61.21    0.58180  -0.00249
10         79.873   51.11                    55.14
11(絞り)    ∞      10.00                    36.05    開口部SP
12        345.341    2.00   1.66998   39.3   31.76
13          ∞       0.10   1.63555   22.7   31.30    0.68947   0.08477 A
14         63.047    5.40   1.48749   70.2   30.72
15        -72.407    5.00                    30.22
16(非球面)104.756    5.00   1.66680   33.0   25.39
17        -32.741    2.00   1.88300   40.8   24.49
18        133.333    4.56                    22.87
19       9565.297    2.81   1.84666   23.8   22.61
20        -89.759    1.70   1.77250   49.6   22.61
21         49.389    2.56                    22.56
22       -616.574    2.50   1.77250   49.6   22.96
23         71.153    5.00                    23.72
24(非球面) 54.306    6.91   1.69895   30.1   27.67
25        -56.326    1.00                    28.18
26        -85.487    7.70   1.65412   39.7   28.01
27        -19.486    2.50   1.88300   40.8   28.21
28(非球面)214.612    6.94                    30.86
29        315.386   10.88   1.72825   28.5   35.50
30        -25.893    0.10   1.63555   22.7   36.42   0.68947  0.08477 R
31        -30.938    2.50   1.80809   22.8   36.78   0.63070  0.02607 R
32        -58.806   15.00                    38.59
33          ∞       2.00   1.51633   64.1   39.82
34          ∞      50.00                    39.91
像面        ∞   
ΔθgF＝θgF−（−1.61783×10-3×νｄ＋0.64146）
なる式で定義されるものである。
【０１８４】
非球面データ
第1面
K =-5.36219e-001  A 4=-4.38319e-008  A 6=-9.70226e-012  A 8= 2.00162e-016
A10= 1.90520e-020  
第3面
K = 2.67048e-001  A 4=-1.60710e-008  A 6= 5.33974e-012  A 8= 3.49742e-016
A10= 9.38821e-020  A12=-2.46635e-024  
第16面
K = 7.12477e+000  A 4= 1.70334e-006  A 6= 1.40930e-010  A 8= 1.19656e-011
A10=-2.80897e-014  A12= 8.86014e-017  
第24面
K = 6.81383e+000  A 4=-8.39426e-006  A 6= 2.76223e-011  A 8=-9.02197e-012
A10= 3.58214e-015  A12=-1.17645e-016  
第28面
K =-1.08447e+002  A 4=-2.19655e-006  A 6= 1.78747e-009  A 8= 4.96486e-012
A10=-1.33320e-014  A12= 2.45735e-017  
第6面(回折面)
C 2=-5.44933e-005  C 4= 4.66718e-009  C 6=-6.04273e-012  C 8= 1.55700e-015
各種データ
ズーム比      1.00 
焦点距離     585.00  
Fナンバー      4.12  
半画角         2.12  
像高          21.64  
レンズ全長   330.00  
BF            50.00  
入射瞳位置   762.88  
射出瞳位置  -123.97  
前側主点位置-619.22  
後側主点位置-535.00  
レンズ群データ
群  始面    焦点距離  レンズ構成長  前側主点位置  後側主点位置
1    1    159.19        96.73         0.26        -71.67
2    8   -118.58         9.00         5.53          0.46
3   11   -336.91       104.16       -57.70       -193.60
31   11   4421.31        29.50      -343.01       -339.43
32   19    -36.35         9.57         4.21         -2.15
33   24     66.73        55.53        15.01        -32.60
単レンズデータ
レンズ  始面  焦点距離
1       1    211.77
2       3    438.68
3       5    -95.69
4       6    106.15
5       8    230.67
6       9    -77.61
7      12    515.80
8      13    -99.21
9      14     70.05
10      16     37.96
11      17    -29.60
12      19    105.04
13      20    -41.02
14      22    -82.45
15      24     40.60
16      26     36.88
17      27    -20.13
18      29     33.30
19      30   -251.75
20      31    -84.16
G      33      0.00
【０１８５】
（数値実施例2）
f= 778.98mm  Fno= 5.80  ２ω= 3.18
面番号       r        d      nd        νd    有効径    θgF      ΔθgF
1(非球面)135.459   11.62   1.48749    70.2   134.31  0.53026   0.00244
2(回折)  252.103    8.59   1.48749    70.2   133.16  0.53026   0.00244
3        929.187    0.10                     132.50
4(非球面)163.970    8.12   1.71736    29.5   127.83   0.60494   0.01124
5        307.697   23.34                     126.96
6(非球面)433.268    5.50   1.72047    34.7   111.51   0.58361  -0.00167
7         77.354   25.69   1.43875    94.9   100.47   0.53463   0.04681
8       -565.823  105.97                      98.79
9        455.352    3.11   1.80809    22.8    36.00   0.64947   0.02607
10       -206.044    2.00   1.83400    37.2    35.30   0.57754  -0.00379
11         77.824   32.79                      33.73
12         97.167    1.88   1.80100    35.0    25.59
13         44.879    0.20   1.70877    21.6    24.87   0.81721   0.21074 A
14         37.519    4.71   1.51742    52.4    24.73
15       -122.250    0.50                      24.36
16(絞り)    ∞       1.50                      23.92   開口部SP
17        222.001    2.80   1.80809    22.8    23.20
18        -70.862    1.94   1.83481    42.7    22.78
19         53.241    2.65                      21.76
20       -171.976    1.90   1.74100    52.6    21.62
21        123.601    1.76                      21.57
22(非球面) 36.361    3.58   1.61772    49.8    21.88
23        107.736   18.85                      21.43
24         68.677    9.21   1.60342    38.0    22.52
25        -24.760    2.00   1.88300    40.8    22.51
26       -113.267    5.00                      23.12
27        -45.150    2.00   1.59282    68.6    23.51
28         77.849    4.04                      24.69
29         85.268    4.50   1.72000    50.2    27.37
30      -1955.416    0.10   1.55324    39.8    28.09   0.66403   0.08696 R
31         86.091    7.15   1.51823    58.9    28.40
32        -70.219    6.42                      29.50
33          ∞       2.20   1.51633    64.1    30.75
34          ∞      78.32                      30.98
像面        ∞   
ΔθgF＝θgF−（−1.61783×10-3×νｄ＋0.64146）
なる式で定義されるものである。
【０１８６】
非球面データ
第1面
K =-2.49787e-001  A 4=-1.01371e-008  A 6=-1.77123e-012  A 8= 7.92508e-017
A10=-6.54223e-020  A12= 3.78832e-024  
第4面
K = 2.35778e-001  A 4= 8.06159e-009  A 6= 1.79360e-013  A 8= 4.00297e-016
A10=-2.96120e-020  A12= 3.66584e-024  
第6面
K =-1.55835e+001  A 4= 5.43228e-010  A 6= 8.26476e-014  A 8= 7.85168e-016
A10=-2.22865e-019  A12= 2.37124e-023  
第22面
K = 6.93018e-001  A 4=-6.12781e-007  A 6= 4.85663e-011  A 8= 2.57050e-013
A10=-1.02830e-014  A12= 2.95970e-017  
第2面(回折面)
C 2=-1.23591e-005  C 4= 1.39309e-009  C 6=-9.52925e-013  C 8= 4.03345e-016
C10=-7.87781e-020  C12= 5.66494e-024  
各種データ
ズーム比     1.00 
焦点距離     778.98  
Fナンバー      5.80  
半画角         1.59  
像高          21.64  
レンズ全長   390.02  
BF            78.32  
入射瞳位置   1522.98  
射出瞳位置   -75.28  
前側主点位置-1648.57  
後側主点位置-700.66  
レンズ群データ
群  始面    焦点距離  レンズ構成長  前側主点位置  後側主点位置
1    1     238.24        82.95        -7.75        -69.01
2    9    -110.92         5.11         3.37          0.54
3   12    -377.17        84.88       -28.54       -111.92
31   12     187.57         7.28         1.89         -2.92
32   17     -43.62         9.28         4.52         -1.81
33   22      83.50        65.05         8.80        -52.88
単レンズデータ
レンズ  始面  焦点距離
1       1    573.57
2       2    694.59
3       4    478.06
4       6   -131.55
5       7    157.01
6       9    175.91
7      10    -67.52
8      12   -105.81
9      13   -326.50
10      14     56.05
11      17     66.76
12      18    -36.16
13      20    -96.79
14      22     87.18
15      24     31.32
16      25    -36.27
17      27    -47.91
18      29    113.59
19      30   -149.05
20      31     75.81
G      33      0.00
【０１８７】
（数値実施例3）
f=584.99 mm  Fno= 4.12  ２ω=4.24
面番号       r        d      nd         νd   有効径    θgF      ΔθgF
1(非球面) 140.883   28.06   1.48749    70.2  141.99   0.53026   0.00244
2        -357.933    1.13                    140.78
3(非球面) 121.537   10.32   1.80518    25.4  125.27   0.61655   0.01623
4         166.356   31.97                    121.81
5         345.343    4.20   1.80000    29.8   97.77   0.60187   0.00870
6(回折)    65.912   22.81   1.49700    81.5   86.56   0.53859    0.02916
7        -269.985   19.00                     85.00
8         992.843    5.00   1.80809    22.8   62.67   0.63070    0.02607
9        -218.883    4.00   1.74950    35.3   61.42   0.58180   -0.00249
10          75.849   50.84                     55.03
11(絞り)     ∞      10.00                     36.34    開口部SP
12          69.054    2.00   1.74000    28.3   31.50
13          37.677    6.19   1.48749    70.2   30.07
14         -94.121    5.00                     29.37
15(非球面)-415.854    5.07   1.75520    27.5   24.87
16         -26.280    0.10   1.78927    17.6   23.96   0.79406   0.18112 A
17         -30.240    2.00   1.88300    40.8   23.75
18         239.694    4.32                     22.44
19      -10434.681    2.81   1.84666    23.8   22.40
20         -85.408    1.70   1.77250    49.6   22.39
21          48.171    2.47                     22.33
22       -1096.849    2.50   1.77250    49.6   22.72
23          65.887    5.00                     23.46
24(非球面)  56.454    4.20   1.63980    34.5   27.44
25        -239.526    1.68                     27.74
26         198.184   11.11   1.65412    39.7   28.16
27         -16.899    2.50   1.88300    40.8   28.29
28(非球面) 244.015    4.41                     32.10
29      -24117.750   10.01   1.75520    27.5   35.19
30         -26.512    0.10   1.69591    17.7   36.34   0.68555  0.07268 R
31         -31.826    2.50   1.80809    22.8   36.86   0.63070  0.02607 R
32         -47.592   15.00                     38.67
33           ∞       2.00   1.51633    64.1   39.93
34           ∞      50.00                     40.01
像面         ∞   
ΔθgF＝θgF−（−1.61783×10-3×νｄ＋0.64146）
なる式で定義されるものである。
【０１８８】
非球面データ
第1面
K =-5.59268e-001  A 4=-4.44565e-008  A 6=-1.02063e-011  A 8= 9.30805e-017
A10= 2.38128e-020  
第3面
K = 2.77040e-001  A 4=-1.73358e-008  A 6= 6.07967e-012  A 8= 3.11909e-016
A10= 1.00471e-019  A12=-6.53323e-024  
第15面
K =-4.87432e+002  A 4= 1.98461e-006  A 6=-5.20952e-011  A 8= 7.18340e-012
A10=-2.71170e-014  A12= 7.59721e-017  
第24面
K = 9.21532e+000  A 4=-8.98854e-006  A 6= 4.15726e-009  A 8=-2.43337e-012
A10=-4.88510e-015  A12= 5.08788e-017  
第28面
K =-7.71583e+000  A 4=-4.60850e-006  A 6= 4.14665e-009  A 8=-2.54425e-012
A10= 4.64372e-015  A12= 2.84033e-018  
第6面(回折面)
C 2=-5.31883e-005  C 4= 5.73444e-009  C 6=-5.70891e-012  C 8= 1.41962e-015
各種データ
ズーム比     1.00 
焦点距離     584.99  
Fナンバー      4.12  
半画角         2.12  
像高          21.64  
レンズ全長   330.00  
BF            50.00  
入射瞳位置   758.40  
射出瞳位置  -124.24  
前側主点位置-620.71  
後側主点位置-535.00  
レンズ群データ
群  始面    焦点距離  レンズ構成長  前側主点位置  後側主点位置
1    1     156.84        98.49         7.06        -70.21
2    8    -114.24         9.00         5.62          0.54
3   11    -343.07       102.67       -56.56       -191.97
31   11    6243.13        30.36      -671.81       -627.58
32   19     -35.22         9.48         4.17         -2.10
33   24      65.67        53.51        15.58        -29.80
単レンズデータ
レンズ  始面  焦点距離
1       1    211.27
2       3    508.10
3       5   -103.63
4       6    107.84
5       8    222.35
6       9    -74.72
7      12   -115.18
8      13     56.06
9      15     36.94
10      16   -257.14
11      17    -30.30
12      19    101.70
13      20    -39.65
14      22    -80.38
15      24     71.80
16      26     24.30
17      27    -17.82
18      29     35.14
19      30   -229.91
20      31   -127.96
G      33      0.00
【０１８９】
（数値実施例4）
f= 585.03mm  Fno= 4.12  ２ω=4.24
面番号       r        d      nd         νd    有効径   θgF    ΔθgF
1(非球面) 146.839   28.52   1.48749    70.2   142.00  0.53026  0.00244
2        -390.488    0.10                     140.42
3(非球面) 135.101   10.12   1.80518    25.4   127.54  0.61655  0.01623
4         181.349   39.16                     123.87
5         320.186    4.20   1.80000    29.8    95.08  0.60187  0.00870
6(回折)    70.288   21.57   1.49700    81.5    85.64  0.53859  0.02916
7        -276.188   19.00                      83.87
8         840.171    5.00   1.80809    22.8    62.61  0.63070  0.02607
9        -212.282    4.00   1.74950    35.3    61.47  0.58180 -0.00249
10          73.312   50.00                      55.09
11          96.664    6.50   1.48749    70.2    38.21
12         -61.285    0.10   1.69591    17.7    37.59  0.68555  0.07268 A
13        -163.918    2.50   1.77250    49.6    37.11  開口部SP
14        -103.781   10.00                      36.68
15(非球面)-799.707    5.00   1.84666    23.8    28.27
16         -37.967    2.00   1.88300    40.8    27.32
17         146.172    4.33                      25.54
18         310.779    2.81   1.84666    23.8    23.52
19        -145.401    1.70   1.77250    49.6    22.87
20          51.639    2.24                      22.30
21        1334.000    2.50   1.77250    49.6    22.57
22          58.871    5.00                      23.04
23(非球面)  48.982    4.68   1.51633    64.1    26.39
24        -208.030    1.00                      26.65
25          55.771   10.67   1.65412    39.7    26.98
26         -18.080    2.50   1.88300    40.8    26.56
27(非球面)  71.750    8.68                      27.94
28         164.847    1.50   1.80400    46.6    32.65
29          49.314    0.10   1.78927    17.6    33.41  0.79406  0.18112 R
30          39.380    7.51   1.75520    27.5    33.62
31         -89.201   15.00                      34.13
32           ∞       2.00   1.51633    64.1    36.36
33           ∞      50.00                      36.54
像面         ∞   
ΔθgF＝θgF−（−1.61783×10-3×νｄ＋0.64146）
なる式で定義されるものである。
【０１９０】
非球面データ
第1面
K =-5.30342e-001  A 4=-4.39883e-008  A 6=-9.13052e-012  A 8= 1.32962e-016
A10= 1.49969e-020  
第3面
K = 2.89260e-001  A 4=-1.33880e-008  A 6= 5.72482e-012  A 8= 1.41313e-016
A10= 6.18876e-020  A12=-4.82699e-024  
第15面
K =-2.81543e+003  A 4= 8.54475e-007  A 6=-8.91254e-010  A 8= 7.74200e-012
A10=-3.78936e-014  A12= 6.65487e-017  
第23面
K = 6.61956e+000  A 4=-8.02166e-006  A 6= 8.26547e-009  A 8=-1.27460e-011
A10= 6.46150e-014  A12=-1.38360e-016  
第27面
K =-1.22546e+001  A 4=-1.87544e-006  A 6= 1.71134e-009  A 8=-8.54076e-013
A10=-1.91425e-015  A12= 1.95969e-017  
第6面(回折面)
C 2=-5.78816e-005  C 4= 6.06887e-009  C 6=-4.71183e-012  C 8= 1.13624e-015
各種データ
ズーム比      1.00 
焦点距離     585.03  
Fナンバー      4.12  
半画角         2.12  
像高          21.64  
レンズ全長   330.00  
BF            50.00  
入射瞳位置   824.25  
射出瞳位置   -83.75  
前側主点位置-1149.56  
後側主点位置-535.03  
レンズ群データ
群  始面    焦点距離  レンズ構成長  前側主点位置  後側主点位置
1    1     162.94       103.67        10.05        -74.01
2    8    -111.98         9.00         5.70          0.61
3   11    -217.95        98.33        25.65        -65.73
31   11     651.13        26.10       -80.84        -89.12
32   18     -40.65         9.25         4.70         -1.39
33   23      76.07        53.64         7.77        -38.85
単レンズデータ
レンズ  始面  焦点距離
1       1    222.77
2       3    599.43
3       5   -114.92
4       6    113.64
5       8    210.15
6       9    -72.27
7      11     77.99
8      12   -140.71
9      13    359.67
10      15     46.94
11      16    -33.96
12      18    117.33
13      19    -49.14
14      21    -79.80
15      23     77.27
16      25     22.14
17      26    -16.14
18      28    -88.03
19      29   -248.80
20      30     37.11
G      32      0.00
【０１９１】
（数値実施例5）
f= 778.99mm  Fno= 5.8  ２ω=3.18
面番号       r        d      nd      νd   有効径    θgF       ΔθgF
1(非球面)139.361   11.11   1.48749  70.2  134.31   0.53026    0.00244
2(回折)  252.103    8.29   1.48749  70.2  133.18   0.53026    0.00244
3        806.488    0.10                  132.53
4(非球面)146.542    9.35   1.71736  29.5  127.64   0.60494    0.01124
5        276.031   20.94                  126.62
6(非球面)420.697    5.50   1.72047  34.7  112.96   0.58361   -0.00167
7         74.575   25.61   1.43875  94.9  101.01   0.53463    0.04681
8       -536.941  105.98                   99.80
9        439.294    3.07   1.80809  22.8   36.00   0.63070    0.02607
10       -222.438    2.00   1.83400  37.2   35.29   0.57754   -0.00379
11         77.582   32.50                   33.71
12(絞り)    ∞       2.50                   25.57   開口部SP
13        126.792    1.88   1.88300  40.8   24.75
14        113.880    0.10   1.55324  39.8   24.30   0.66403    0.08696 A
15         25.509    6.96   1.48749  70.2   23.74
16       -107.190    2.18                   23.05
17        279.419    2.80   1.80809  22.8   21.79
18        -66.132    1.94   1.83481  42.7   21.34
19         49.492    2.61                   20.36
20       -189.279    1.90   1.74100  52.6   20.21
21        126.905    1.76                   20.15
22(非球面) 32.447    3.58   1.56732  42.8   20.40
23         73.141   12.94                   20.16
24         61.758    9.37   1.60342  38.0   22.92
25        -20.178    2.00   1.88300  40.8   22.85
26        -85.697    2.00                   23.73
27        -39.689    2.00   1.59282  68.6   23.84
28         98.360    5.00                   25.22
29         92.427    2.00   1.80809  22.8   28.74   0.63070   0.02607 R
30         67.056    8.05   1.61772  49.8   29.24
31        -60.214    6.42                   30.50
32          ∞       2.20   1.51633  64.1   31.62
33          ∞      85.37                   31.82
像面        ∞   
ΔθgF＝θgF−（−1.61783×10-3×νｄ＋0.64146）
なる式で定義されるものである。
【０１９２】
非球面データ
第1面
K =-2.63210e-001  A 4=-1.09126e-008  A 6=-1.89944e-012  A 8= 7.14513e-017
A10=-6.50078e-020  A12= 3.92826e-024  
第4面
K = 2.70728e-001  A 4= 9.85271e-009  A 6= 5.00092e-013  A 8= 4.17302e-016
A10=-2.59298e-020  A12= 4.61637e-024  
第6面
K =-1.57795e+001  A 4= 4.81264e-010  A 6= 1.37932e-013  A 8= 7.50409e-016
A10=-2.13499e-019  A12= 2.11355e-023  
第22面
K = 8.73896e-001  A 4= 2.44599e-007  A 6= 3.21854e-009  A 8=-7.40637e-012
A10= 4.81842e-014  A12=-5.31090e-017  
第2面(回折面)
C 2=-1.25720e-005  C 4= 1.41526e-009  C 6=-9.00170e-013  C 8= 3.87107e-016
C10=-7.55822e-020  C12= 5.39578e-024
各種データ
ズーム比      1.00 
焦点距離     778.99  
Fナンバー      5.80  
半画角         1.59  
像高          21.64  
レンズ全長   390.00  
BF            85.37  
入射瞳位置   1370.30  
射出瞳位置   -82.19  
前側主点位置-1472.15  
後側主点位置-693.62  
レンズ群データ
群  始面    焦点距離  レンズ構成長  前側主点位置  後側主点位置
1    1     235.20        80.90        -7.66        -66.74
2    9    -111.45         5.07         3.36          0.56
3   12    -410.24        80.18       -52.47       -142.37
31   12     166.33        11.44         5.93         -2.39
32   17     -40.95         9.24         4.23         -2.05
33   22      85.33        55.56        14.04        -38.72
単レンズデータ
レンズ  始面  焦点距離
1       1    609.99
2       2    734.77
3       4    422.71
4       6   -126.65
5       7    151.17
6       9    183.11
7      10    -68.76
8      13   -1359.17
9      14    -59.44
10      15     43.01
11      17     66.42
12      18    -33.65
13      20   -102.26
14      22     99.62
15      24     26.34
16      25    -30.32
17      27    -47.45
18      29   -313.34
19      30     52.63
G      32      0.00
【０１９３】
（数値実施例6）
f= 779.33mm  Fno= 5.80  ２ω=3.18
面番号       r        d      nd      νd    有効径    θgF      ΔθgF
1(非球面)137.178   18.18   1.48749  70.2   134.37  0.53026    0.00244
2       1001.817    0.10                   133.20
3(非球面)152.819    9.26   1.71736  29.5   128.07  0.60494    0.01124
4        278.747   22.06                   126.77
5(非球面)419.649    5.50   1.72047  34.7   112.42  0.58361   -0.00167
6(回折)   77.041   25.75   1.43875  94.9   101.04  0.53463    0.04681
7       -488.569  105.74                    99.55
8        725.622    2.72   1.80809  22.8    33.20  0.63070    0.02607
9       -156.914    2.00   1.83400  37.2    32.61  0.57754   -0.00379
10         62.996   31.99                    30.98
11(絞り)    ∞       2.50                    24.80  開口部SP
12         97.247    1.88   1.84666  23.8    24.14
13         48.647    0.20   1.55324  39.8    23.55  0.66403   0.08696 A
14         25.267    5.63   1.54814  45.8    23.28
15        -95.278    2.00                    22.91
16        405.217    3.04   1.80809  22.8    21.75
17        -82.595    1.94   1.83481  42.7    21.20
18         47.487    3.46                    20.30
19       -107.493    1.90   1.74100  52.6    20.15
20        591.860    1.76                    20.24
21(非球面) 33.791    3.60   1.57099  50.8    20.52
22        100.456   14.95                    20.53
23         63.607    9.19   1.59551  39.2    23.44
24        -23.338    2.00   1.88300  40.8    23.32
25        -74.902    3.38                    23.96
26        -40.203    2.00   1.59282  68.6    23.97
27         66.168    9.50                    25.13
28         88.337    1.64   1.72000  46.0    31.34
29         97.189    0.10   1.55324  39.8    31.65   0.66403  0.08696 R
30         48.439   10.33   1.53172  48.8    32.04
31        -60.936    6.42                    33.45
32          ∞       2.20   1.51633  64.1    34.44
33          ∞      77.07                    34.60
像面        ∞   
ΔθgF＝θgF−（−1.61783×10-3×νｄ＋0.64146）
なる式で定義されるものである。
【０１９４】
非球面データ
第1面
K =-2.18681e-001  A 4=-1.98995e-008  A 6=-6.17126e-013  A 8=-1.96139e-016
A10=-8.09833e-021  A12=-1.23560e-024  A14=-2.46605e-029  
第3面
K = 2.27325e-001  A 4= 1.15792e-008  A 6= 1.07490e-012  A 8= 1.55217e-016
A10=-2.77967e-020  A12= 4.25574e-024  A14= 6.06431e-028  
第5面
K =-1.66522e+001  A 4= 4.87657e-009  A 6=-4.19291e-012  A 8= 1.99814e-015
A10=-2.50840e-019  A12=-6.90513e-026  A14= 4.48909e-028  
第21面
K = 6.01970e-001  A 4=-3.56758e-007  A 6=-4.17119e-010  A 8= 3.38294e-011
A10=-3.79853e-013  A12= 2.18868e-015  A14=-5.05275e-018  
第6面(回折面)
C 2=-1.95800e-005  C 4= 1.42876e-009  C 6=-1.55207e-012  C 8= 8.36962e-016
C10=-1.44012e-019  
各種データ
ズーム比      1.00 
焦点距離     779.33  
Fナンバー      5.80  
半画角         1.59  
像高          21.64  
レンズ全長   390.00  
BF            77.07  
入射瞳位置   1495.16  
射出瞳位置  -104.89  
前側主点位置-1063.17  
後側主点位置-702.25  
レンズ群データ
群  始面    焦点距離  レンズ構成長  前側主点位置  後側主点位置
1    1     226.47        80.86        -5.24        -65.34
2    8     -81.61         4.72         2.82          0.22
3   11    3189.50        89.61       700.65        793.00
31   11     122.32        10.21         5.11         -2.25
32   16     -40.99        10.34         4.18         -3.06
33   21      85.12        65.31        18.11        -50.39
単レンズデータ
レンズ  始面  焦点距離
1       1    323.81
2       3    457.49
3       5   -132.54
4       6    152.90
5       8    159.87
6       9    -53.68
7      12   -117.05
8      13    -95.32
9      14     37.05
10      16     85.14
11      17    -35.87
12      19   -122.63
13      21     87.46
14      23     29.85
15      24    -39.10
16      26    -41.89
17      28   1250.06
18      29   -174.68
19      30     52.47
G      32      0.00
【０１９５】
（数値実施例7）
f= 585.13mm  Fno= 4.12  ２ω=4.24
面番号       r        d      nd      νd   有効径    θgF    ΔθgF
1(非球面)298.298   19.88   1.43387  95.1   142.00  0.53728  0.04975
2       -365.050    0.10                   141.39
3         96.302   11.73   1.75520  27.5   129.87  0.61020  0.01325
4        138.089    0.10                   127.82
5         90.156   14.78   1.43387  95.1   121.30  0.53728  0.04975
6        132.784    4.20                   116.15
7(非球面)117.863    4.00   1.72916  54.7   111.17  0.54423 -0.00880
8         55.967   26.69   1.43387  95.1    93.82  0.53728  0.04975
9        229.504    1.27                    89.27
10        141.974    4.00   1.80518  25.4    85.72  0.61655  0.01623
11         59.999   18.23   1.43387  95.1    76.43  0.53728  0.04975
12       -600.539   11.17                    74.25
13        404.192    5.00   1.80809  22.8    59.75  0.63070  0.02607
14       -304.112    4.00   1.88300  40.8    58.19  0.56694 -0.00857
15         62.229   55.13                    51.72
16(絞り)    ∞       5.00                    36.09  開口部SP
17        112.378    4.78   1.62230  53.2    34.10
18        -69.052    0.10   1.63555  22.7    33.66  0.68947  0.08477 A
19      -1506.653    3.00   1.70154  41.2    33.02
20       -101.737    0.10                    32.50
21(非球面) 84.045    6.61   1.66680  33.0    30.26
22        -49.984    2.00   1.88300  40.8    28.28
23         63.317    5.56                    25.78
24        380.257    2.81   1.84666  23.8    24.53
25       -204.448    1.70   1.77250  49.6    24.38
26         51.956    2.90                    24.11
27        852.631    2.50   1.77250  49.6    24.49
28         60.032    5.00                    24.94
29(非球面) 55.589    5.00   1.51633  64.1    28.21
30       -315.690    1.96                    28.62
31         61.472   12.00   1.65412  39.7    29.34
32        -22.131    2.50   1.88300  40.8    28.91
33(非球面)151.077   12.00                    30.02
33(非球面)151.077   12.00                    30.02
34        667.986    6.19   1.75520  27.5    34.46
35        -97.970    1.80   1.71270  13.9    35.30   0.56226  -0.05677 R
36        -67.667    2.50   1.72916  54.7    35.49
37       -124.709    5.12                    36.17
38          ∞       2.00   1.51633  64.1    36.94
39          ∞      51.99                    37.09
像面        ∞   
ΔθgF＝θgF−（−1.61783×10-3×νｄ＋0.64146）
なる式で定義されるものである。
【０１９６】
非球面データ
第1面
K = 3.81698e+000  A 4=-3.02350e-008  A 6=-3.28199e-012  A 8= 9.76375e-017
A10=-7.97848e-021  
第7面
K =-2.95245e-001  A 4=-2.88118e-008  A 6= 4.98757e-012  A 8=-3.53101e-016
A10= 5.20607e-020  
第21面
K =-1.94423e+000  A 4= 1.44040e-006  A 6=-1.70926e-009  A 8= 1.39597e-011
A10=-4.09767e-014  A12= 5.18234e-017  
第29面
K = 6.55348e+000  A 4=-4.34386e-006  A 6= 4.90912e-009  A 8=-3.89558e-011
A10= 1.46557e-013  A12=-2.88514e-016  
第33面
K = 0.00000e+000  A 4=-2.60998e-006  A 6= 2.76807e-009  A 8=-4.66931e-012
A10= 7.52219e-015  A12=-2.60541e-018  
各種データ
ズーム比      1.00 
焦点距離     585.13  
Fナンバー      4.12  
半画角         2.12  
像高          21.64  
レンズ全長   325.41  
BF            51.99  
入射瞳位置   825.83  
射出瞳位置   -81.42  
前側主点位置-1155.31  
後側主点位置-533.14  
レンズ群データ
群  始面    焦点距離  レンズ構成長  前側主点位置  後側主点位置
1    1     143.92       104.99        -6.99        -73.27
2   13     -81.28         9.00         5.70          0.75
3   16    -297.76        93.13        23.40        -59.73
31   16     275.37        21.59       -22.47        -33.69
32   24     -40.47         9.91         4.89         -1.84
33   29      78.52        51.07         7.23        -35.75
単レンズデータ
レンズ  始面  焦点距離
1       1    381.82
2       3    375.99
3       5    585.79
4       7   -150.25
5       8    163.01
6      10   -131.93
7      11    126.78
8      13    215.43
9      14    -58.21
10      17     69.43
11      18   -113.87
12      19    155.39
13      21     47.95
14      22    -31.37
15      24    157.39
16      25    -53.47
17      27    -83.71
18      29     91.96
19      31     26.37
20      32    -21.71
21      34    113.53
22      35    299.56
23      36   -206.71
G      38      0.00
【０１９７】
（数値実施例8）
f= 489.00mm  Fno= 4.11  ２ω=5.06
面番号       r        d      nd      νd   有効径      θgF      ΔθgF
1(非球面)149.409   12.39   1.48749  70.2  119.00    0.53026    0.00244
2      11617.528    0.10                  118.62
3(非球面)100.036   12.95   1.72825  28.5  113.51    0.60766    0.01224
4        219.458   14.49                  112.01
5        176.898    3.70   1.78472  25.7   98.84    0.61584    0.01592
6(回折)   60.121   24.23   1.43875  94.9   87.08    0.53463    0.04681
7       -261.252   18.88                   86.06
8        225.459    3.60   1.80809  22.8   61.96    0.63070    0.02607
9      13341.367    2.50   1.88300  40.8   60.99    0.56694   -0.00857
10         86.176   52.56                   56.53
11(絞り)    ∞       5.00                   30.32    開口部SP
12        580.536    1.80   1.88300  40.8   27.49
13         50.619    0.10   1.69591  17.7   26.45    0.68555    0.07268 A
14         30.040    7.05   1.64769  33.8   26.08
15        -73.954    1.00                   25.29
16        337.833    3.56   1.62588  35.7   23.66
17        -42.546    2.00   1.88300  40.8   22.86
18        306.753    2.00                   22.28
19       -482.181    3.39   1.80809  22.8   22.25
20        -38.717    1.61   1.72916  54.7   22.26
21         52.643    2.08                   22.18
22        394.030    1.50   1.88300  40.8   22.49
23         49.694    3.00                   22.82
24(非球面) 40.534    7.77   1.62004  36.3   25.46
25        -38.819    2.00                   26.03
26        -40.235    2.00   1.88300  40.8   25.63
27        114.124    3.00   1.68893  31.1   26.70
28       1501.416   10.54                   27.31
29         75.434    6.66   1.65412  39.7   33.23
30        -71.104    0.10   1.63555  22.7   33.50    0.68947    0.08477 R
31       -170.611    1.80   1.80809  22.8   33.62    0.63070    0.02607 R
32      -1568.565    4.00                   33.88
33          ∞       2.20   1.51633  64.1   34.56
34          ∞      50.42                   34.80
像面        ∞   
ΔθgF＝θgF−（−1.61783×10-3×νｄ＋0.64146）
なる式で定義されるものである。
【０１９８】
非球面データ
第1面
K =-1.89011e+000  A 4=-2.89567e-008  A 6=-1.30050e-011  A 8=-3.32663e-016
A10= 2.27119e-019  A12=-2.39450e-023  
第3面
K = 4.00433e-001  A 4=-3.01010e-008  A 6= 2.00007e-012  A 8= 4.48323e-016
A10=-2.24115e-019  
第24面
K = 1.20950e+000  A 4=-4.39919e-006  A 6=-3.80449e-009  A 8= 2.96087e-012
A10=-1.33338e-014  
第6面(回折面)
C 2=-4.23663e-005  C 4=-7.11748e-010  C 6=-2.25513e-012  C 8= 8.99268e-016
C10=-2.84323e-020  
各種データ
ズーム比      1.00 
焦点距離     489.00  
Fナンバー      4.11  
半画角         2.53  
像高          21.64  
レンズ全長   270.00  
BF            50.42  
入射瞳位置   584.61  
射出瞳位置   -62.70  
前側主点位置-1040.33  
後側主点位置-438.58  
レンズ群データ
群  始面    焦点距離  レンズ構成長  前側主点位置  後側主点位置
1    1     131.78        67.87         5.96        -45.15
2    8    -153.03         6.10         5.21          1.82
3   11     -89.95        74.17         6.09        -56.99
31   11    -531.02        20.52        18.02          3.52
32   19     -33.68         8.58         4.26         -1.34
33   24      64.53        40.08         5.89        -27.33
単レンズデータ
レンズ  始面  焦点距離
1       1    310.37
2       3    241.40
3       5   -118.87
4       6    112.95
5       8    283.76
6       9    -98.24
7      12    -62.90
8      13   -106.39
9      14     33.89
10      16     60.59
11      17    -42.20
12      19     51.92
13      20    -30.37
14      22    -64.53
15      24     33.23
16      26    -33.49
17      27    179.12
18      29     56.98
19      30   -191.90
20      31   -237.03
G      33      0.00
【０１９９】
（数値実施例9）
f= 585.01mm  Fno= 4.12  ２ω=4.24
面番号       r        d      nd      νd   有効径      θgF      ΔθgF
1(非球面)153.980   34.13   1.48749  70.2  141.99    0.53026    0.00244
2       -258.727    0.10                  139.78
3(非球面)100.549   11.73   1.80518  25.4  119.51    0.61655    0.01623
4        134.917   29.00                  114.62
5        300.815    4.20   1.80000  29.8   92.45    0.60187    0.00870
6(回折)   60.584   22.98   1.49700  81.5   80.76    0.53859    0.02916
7       -432.985   15.00                   77.53
8       -519.467    5.00   1.80809  22.8   61.63    0.63070    0.02607
9       -140.855    4.00   1.74950  35.3   60.45    0.58180   -0.00249
10         79.463   49.97                   54.59
11         63.774    5.00   1.48749  70.2   39.86
12        271.921    1.50   1.92286  18.9   38.81    0.64947    0.03858 A
13         48.717    5.00                   37.22
14(絞り)    ∞       2.00                   37.31    開口部SP
15         43.627    2.00   1.88300  40.8   37.73
16         25.431   11.22   1.66680  33.0   35.70
17        -78.701    5.00                   35.28
18(非球面) 62.633    5.00   1.72151  29.2   28.75
19       -128.336    2.00   1.88300  40.8   27.10
20         32.438    5.76                   24.27
21         96.020    2.81   1.84666  23.8   23.18
22       2185.445    1.70   1.77250  49.6   23.09
23         56.689    2.00                   22.96
24        211.577    2.50   1.77250  49.6   23.24
25         52.583    5.00                   23.56
26(非球面) 73.616    4.53   1.69895  30.1   26.13
27        -62.461    1.00                   26.50
28        466.131    7.86   1.65412  39.7   26.51
29        -19.964    2.50   1.88300  40.8   26.45
30(非球面) 41.759    1.00                   28.26
31         57.746    8.90   1.72825  28.5   29.04
32        -27.004    0.10   1.63555  22.7   29.66    0.68947    0.08477 R
33        -41.975    2.50   1.80809  22.8   29.99    0.63070    0.02607 R
34       -102.518   15.00                   30.96
35          ∞       2.00   1.51633  64.1   33.92
36          ∞      50.00                   34.16
像面        ∞   
ΔθgF＝θgF−（−1.61783×10-3×νｄ＋0.64146）
なる式で定義されるものである。
【０２００】
非球面データ
第1面
K =-2.17743e-001  A 4=-2.30311e-008  A 6=-1.10619e-011  A 8= 7.88962e-017
A10= 2.28694e-020  
第3面
K = 1.51056e-001  A 4=-4.12655e-008  A 6= 2.51763e-012  A 8= 2.60269e-016
A10= 1.52182e-019  A12= 6.66399e-024  
第18面
K = 1.28349e-001  A 4= 5.99189e-007  A 6=-2.79147e-009  A 8= 2.23411e-011
A10=-8.40769e-014  A12= 1.89769e-016  
第26面
K = 8.04513e+000  A 4=-1.14848e-005  A 6= 2.27362e-008  A 8=-1.93916e-011
A10= 8.65246e-014  A12=-1.88359e-016  
第30面
K =-9.50032e+000  A 4= 5.69196e-007  A 6=-6.19524e-009  A 8= 4.00766e-011
A10=-8.04695e-014  A12= 4.64655e-017  
第6面(回折面)
C 2=-6.98532e-005  C 4= 1.85047e-008  C 6=-1.39678e-011  C 8= 2.84769e-015
各種データ
ズーム比      1.00 
焦点距離     585.01  
Fナンバー      4.12  
半画角         2.12  
像高          21.64  
レンズ全長   330.00  
BF            50.00  
入射瞳位置   836.67  
射出瞳位置   -65.99  
前側主点位置-1528.95  
後側主点位置-535.01  
レンズ群データ
群  始面    焦点距離  レンズ構成長  前側主点位置  後側主点位置
1    1     151.87       102.15         2.12        -72.49
2    8     -94.03         9.00         4.37         -0.65
3   11    -190.93       103.88        61.33        -25.15
31   11    -517.58        38.72       118.87         76.41
32   21     -64.67         9.01         6.80          0.74
33   26      92.99        45.39         0.68        -34.09
単レンズデータ
レンズ  始面  焦点距離
1       1    203.53
2       3    425.44
3       5    -96.86
4       6    107.02
5       8    237.75
6       9    -67.26
7      11    169.57
8      12    -64.52
9      15    -72.81
10      16     30.12
11      18     58.98
12      19    -29.15
13      21    118.55
14      22    -75.36
15      24    -91.21
16      26     49.02
17      28     29.45
18      29    -15.01
19      31     26.44
20      32   -119.43
21      33    -89.61
G      35      0.00
【０２０１】
（数値実施例10）
f= 584.98mm  Fno= 4.12  ２ω=4.24
面番号           r        d      nd      νd  有効径    θgF    ΔθgF
1(非球面)    139.696   29.88   1.48749  70.2 141.98  0.53026  0.00244
2          -325.344    0.10                  140.52
3(非球面)     96.527   11.55   1.80518  25.4 121.07  0.61655  0.01623
4            124.016   27.40                 116.67
5            261.820    4.20   1.80000  29.8  96.92  0.60187  0.00870
6(回折)       56.147   23.81   1.48749  70.2  83.03  0.53026  0.00244
7           -794.631   19.09                  80.63
8           1689.880    5.00   1.80809  22.8  62.04  0.63070  0.02607
9           -211.052    4.00   1.74950  35.3  60.81  0.58180 -0.00249
10             82.361   51.57                  55.13
11             97.605    2.00   1.80000  29.8  36.67
12             33.559    0.75   1.56480  20.0  34.72  0.40781 -0.20126 A
13             38.010    7.26   1.60311  60.6  34.69
14           -100.766    2.00                  34.24
15(絞り)        ∞       8.00                  31.77  開口部SP
16(非球面)    123.674    5.00   1.64769  33.8  25.53
17            -34.975    2.00   1.88300  40.8  24.44
18            111.403    4.71                  22.75
19          -1753.510    2.81   1.84666  23.8  20.76
20            -83.069    1.70   1.77250  49.6  20.76
21             51.920    2.43                  20.81
22           -484.952    2.50   1.77250  49.6  21.25
23             70.606    5.00                  22.01
24(非球面)     60.632    7.07   1.69895  30.1  25.77
25            -89.313    1.00                  26.52
26           -144.851    8.95   1.65412  39.7  26.60
27            -17.939    2.50   1.88300  40.8  26.99
28(非球面)-210056.282    5.80                  29.95
29            843.147   10.81   1.72825  28.5  33.69
30            -24.638    0.50   1.56480  20.0  34.81  0.40781 -0.20126 R
31            -24.025    2.50   1.80809  22.8  34.85  0.63070  0.02607 R
32            -49.610   15.00                  37.39
33              ∞       2.00   1.51633  64.1  38.93
34              ∞      51.09                  39.04
像面            ∞   
ΔθgF＝θgF−（−1.61783×10-3×νｄ＋0.64146）
なる式で定義されるものである。
【０２０２】
非球面データ
第1面
K =-4.73316e-001  A 4=-4.01900e-008  A 6=-9.83428e-012  A 8= 2.28766e-016
A10= 1.64378e-020  
第3面
K = 2.66140e-001  A 4=-2.87186e-008  A 6= 3.25528e-012  A 8= 5.57642e-016
A10= 2.27060e-020  A12= 1.26387e-023  
第16面
K =-1.35410e+001  A 4= 4.05102e-006  A 6=-1.55011e-009  A 8= 4.53861e-011
A10=-1.94447e-013  A12= 4.19757e-016  
第24面
K = 9.93298e+000  A 4=-5.80471e-006  A 6= 1.48841e-009  A 8=-1.31670e-011
A10= 2.72637e-014  A12=-1.20709e-016  
第28面
K = 0.00000e+000  A 4=-3.25040e-006  A 6= 2.11303e-009  A 8=-1.00982e-012
A10=-1.86048e-015  A12= 1.07401e-017  
第6面(回折面)
C 2=-7.34647e-005  C 4= 3.27876e-009  C 6=-8.19383e-012  C 8= 1.75578e-015
各種データ
ズーム比      1.00 
焦点距離     584.98  
Fナンバー      4.12  
半画角         2.12  
像高          21.64  
レンズ全長   329.99  
BF            51.09  
入射瞳位置   911.06  
射出瞳位置  -109.28  
前側主点位置-637.75  
後側主点位置-533.89  
レンズ群データ
群  始面    焦点距離  レンズ構成長  前側主点位置  後側主点位置
1    1     165.86        96.94        -9.08        -76.16
2    8    -120.23         9.00         5.43          0.37
3   11    -386.52       102.30       -56.08       -186.66
31   11    3570.34        27.01      -594.46       -526.41
32   19     -36.10         9.45         4.13         -2.10
33   24      67.89        56.14        16.70        -30.51
単レンズデータ
レンズ  始面  焦点距離
1       1    204.79
2       3    455.49
3       5    -91.36
4       6    106.88
5       8    232.45
6       9    -78.58
7      11    -64.83
8      12    478.35
9      13     46.68
10      16     42.62
11      17    -29.95
12      19    102.91
13      20    -41.13
14      22    -79.63
15      24     52.69
16      26     30.45
17      27    -20.32
18      29     33.04
19      30    1321.25
20      31    -60.28
G      33      0.00
【０２０３】
（数値実施例11）
f= 585.00mm  Fno= 4.12  ２ω=4.24
面番号       r        d      nd      νd    有効径      θgF      ΔθgF
1(非球面)145.868   27.70   1.48749  70.2   141.99   0.53026    0.00244
2       -337.314    0.10                   140.88
3(非球面)107.809   11.51   1.80518  25.4   123.87   0.61655    0.01623
4        150.092   28.39                   120.16
5        332.925    4.20   1.80000  29.8    98.55   0.60187    0.00870
6(回折)   60.928   23.60   1.49700  81.5    85.59   0.53859    0.02916
7       -411.853   19.00                    83.59
8       1989.327    5.00   1.80809  22.8    63.39   0.63070    0.02607
9       -215.855    4.00   1.74950  35.3    62.13   0.58180   -0.00249
10         83.677   51.23                    56.22
11(絞り)    ∞      10.00                    37.64   開口部SP
12         91.382    2.00   1.80000  29.8    33.03
13         31.325    0.50   1.59630  13.9    31.23   0.34651   -0.27252 A
14         33.740    7.05   1.62041  60.3    31.18
15        -95.829    5.00                    30.57
16(非球面)132.281    5.00   1.63980  34.5    25.35
17        -34.626    2.00   1.88300  40.8    24.19
18         99.935    4.77                    22.45
19      -2759.093    2.81   1.84666  23.8    22.43
20        -83.717    1.70   1.77250  49.6    22.44
21         47.825    2.55                    22.41
22       -705.750    2.50   1.77250  49.6    22.82
23         72.025    5.00                    23.61
24(非球面) 57.397    7.23   1.69895  30.1    27.59
25        -53.242    1.00                    28.21
26        -74.258    8.04   1.65412  39.7    28.06
27        -18.486    2.50   1.88300  40.8    28.32
28(非球面)356.823    5.66                    31.52
29        675.214   10.37   1.69895  30.1    35.40
30        -26.258    0.10   1.63555  22.7    36.41  0.68947    0.08477 R
31        -29.942    2.50   1.80809  22.8    36.76  0.63070    0.02607 R
32        -48.563   15.00                    38.74
33          ∞       2.00   1.51633  64.1    39.96
34          ∞      50.00                    40.05
像面        ∞   
ΔθgF＝θgF−（−1.61783×10-3×νｄ＋0.64146）
なる式で定義されるものである。
【０２０４】
非球面データ
第1面
K =-5.02302e-001  A 4=-4.21255e-008  A 6=-9.53729e-012  A 8= 2.39409e-016
A10= 1.55076e-020  
第3面
K = 2.62676e-001  A 4=-1.75134e-008  A 6= 4.93264e-012  A 8= 3.78423e-016
A10= 7.49520e-020  A12= 5.99854e-025  
第16面
K = 1.40612e+001  A 4= 2.49984e-006  A 6= 2.82101e-010  A 8= 1.48412e-011
A10=-2.97781e-014  A12= 8.86014e-017  
第24面
K = 7.65441e+000  A 4=-8.46561e-006  A 6= 3.07691e-009  A 8=-1.76417e-011
A10= 4.90975e-014  A12=-1.17645e-016  
第28面
K =-5.84225e+002  A 4=-2.57457e-006  A 6= 5.88749e-010  A 8= 3.20697e-012
A10= 3.03265e-016  A12= 1.15860e-018  
第6面(回折面)
C 2=-5.61629e-005  C 4= 4.23259e-009  C 6=-6.05548e-012  C 8= 1.45938e-015
各種データ
ズーム比      1.00 
焦点距離     585.00  
Fナンバー      4.12  
半画角         2.12  
像高          21.64  
レンズ全長   330.00  
BF            50.00  
入射瞳位置   729.46  
射出瞳位置  -124.96  
前側主点位置-641.56  
後側主点位置-535.00  
レンズ群データ
群  始面    焦点距離  レンズ構成長  前側主点位置  後側主点位置
1    1     161.04        95.50        -2.05        -71.75
2    8    -121.13         9.00         5.39          0.32
3   11    -336.93       105.27       -48.25       -181.28
31   11   -6122.19        31.55       866.09        738.33
32   19     -35.57         9.56         4.10         -2.25
33   24      65.88        54.40        15.45        -30.81
単レンズデータ
レンズ  始面  焦点距離
1       1    212.89
2       3    423.82
3       5    -94.86
4       6    107.31
5       8    241.21
6       9    -80.00
7      12    -60.48
8      13    681.38
9      14     41.08
10      16     43.40
11      17    -28.92
12      19    101.92
13      20    -39.18
14      22    -84.48
15      24     40.61
16      26     35.60
17      27    -19.84
18      29     36.38
19      30   -339.41
20      31   -102.80
G      33      0.00
【０２０５】
（数値実施例12）
f= 489.00mm  Fno= 4.11  ２ω=5.06
面番号       r        d      nd       vd    有効径      θgF      ΔθgF
1(非球面)150.077   12.49   1.48749  70.2   119.00   0.53026    0.00244
2     113942.803    0.10                   118.62
3(非球面)100.641   12.94   1.72825  28.5   113.41   0.60766    0.01224
4        222.478   14.97                   111.91
5        177.374    3.70   1.78472  25.7    98.18   0.61584    0.01592
6(回折)   59.455   23.88   1.43875  94.9    86.37   0.53463    0.04681
7       -277.848   18.84                    85.34
8        235.357    3.31   1.80809  22.8    62.01   0.63070    0.02607
9       1958.776    2.50   1.88300  40.8    61.06   0.56694   -0.00857
10         89.478   52.88                    56.89
11(絞り)    ∞       5.00                    30.45   開口部SP
12        138.882    1.80   1.88300  40.8    27.34
13         43.292    1.94   1.54250  29.0    26.15   0.43316   -0.16137 A
14        158.705    3.77   1.51742  52.4    26.00
15        -90.459    1.00                    25.23
16        219.506    2.95   1.60311  60.6    23.72
17        -62.395    2.00   1.88300  40.8    23.00
18        161.496    2.00                    22.10
19      -3261.794    3.44   1.80809  22.8    22.09
20        -40.186    1.61   1.72916  54.7    22.09
21         56.754    2.16                    21.99
22       6173.830    1.50   1.88300  40.8    22.26
23         49.202    3.00                    22.62
24(非球面) 47.254    6.22   1.63980  34.5    25.08
25        -57.328    3.36                    25.68
26        -52.347    2.00   1.88300  40.8    25.78
27        147.333    3.00   1.75520  27.5    26.84
28       -834.112    9.26                    27.49
29         72.432    7.49   1.65412  39.7    32.92
30        -54.116    1.80   1.80809  22.8    33.20   0.63070    0.02607 R
31       -311.338    4.00                    33.74
32          ∞       2.20   1.51633  64.1    34.46
33          ∞      52.87                    34.70
像面        ∞   
ΔθgF＝θgF−（−1.61783×10-3×νｄ＋0.64146）
なる式で定義されるものである。
【０２０６】
非球面データ
第1面
K =-1.90977e+000  A 4=-2.92743e-008  A 6=-1.26299e-011  A 8=-2.81226e-016
A10= 2.24544e-019  A12=-2.28584e-023  
第3面
K = 4.09681e-001  A 4=-2.70929e-008  A 6= 2.39007e-012  A 8= 4.67149e-016
A10=-2.24984e-019  
第24面
K = 1.61157e+000  A 4=-3.00890e-006  A 6=-2.58502e-009  A 8= 3.23267e-012
A10=-9.36563e-015  
第6面(回折面)
C 2=-4.80212e-005  C 4=-1.93247e-009  C 6=-2.33078e-012  C 8= 1.03629e-015
C10=-9.33193e-020  
各種データ
ズーム比      1.00 
焦点距離     489.00  
Fナンバー      4.11  
半画角         2.53  
像高          21.64  
レンズ全長   270.00  
BF            52.87  
入射瞳位置   583.30  
射出瞳位置   -62.12  
前側主点位置-1007.10  
後側主点位置-436.13  
レンズ群データ
群  始面    焦点距離  レンズ構成長  前側主点位置  後側主点位置
1    1     133.45        68.08         5.21        -45.94
2    8    -159.00         5.81         4.95          1.73
3   11     -92.23        71.51         4.99        -57.39
31   11    -340.92        18.46        20.50          6.65
32   19     -33.92         8.72         4.67         -1.07
33   24      62.04        39.33         6.37        -26.17
単レンズデータ
レンズ  始面  焦点距離
1       1    308.25
2       3    241.54
3       5   -116.85
4       6    112.88
5       8    330.74
6       9   -106.25
7      12    -71.87
8      13    109.09
9      14    111.93
10      16     80.88
11      17    -50.76
12      19     50.33
13      20    -32.04
14      22    -56.18
15      24     41.45
16      26    -43.54
17      27    166.02
18      29     48.49
19      30    -81.31
G      32      0.00
【０２０７】
（数値実施例13）
f= 489.00mm  Fno= 4.11  ２ω=5.06
面番号       r        d      nd       vd    有効径      θgF      ΔθgF
1(非球面)146.439   12.42   1.48749  70.2   119.00   0.53026    0.00244
2       5386.932    0.10                   118.61
3(非球面) 98.923   13.11   1.72825  28.5   113.46   0.60766    0.01224
4        214.005   14.41                   111.93
5        169.769    3.70   1.78472  25.7    98.56   0.61584    0.01592
6(回折)   57.983   24.56   1.43875  94.9    86.26   0.53463    0.04681
7       -274.106   19.01                    85.23
8        231.804    3.34   1.80809  22.8    61.48   0.63070    0.02607
9       2234.348    2.50   1.88300  40.8    60.52   0.56694   -0.00857
10         85.145   52.46                    56.21
11(絞り)    ∞       5.00                    30.84   開口部SP
12        226.758    1.80   1.80000  29.8    27.95
13         41.907    1.20   1.71270  13.9    26.72   0.56226  -0.05677 A
14         70.608    4.95   1.48749  70.2    26.63
15        -74.210    1.00                    25.81
16        200.567    3.22   1.51823  58.9    24.07
17        -56.363    2.00   1.88300  40.8    23.26
18        253.964    2.00                    22.55
19     -22621.770    3.70   1.80809  22.8    22.53
20        -38.579    1.61   1.72916  54.7    22.52
21         58.136    2.14                    22.37
22       3367.845    1.50   1.88300  40.8    22.61
23         47.844    3.00                    22.96
24(非球面) 49.299    5.16   1.63980  34.5    25.32
25       -114.549   13.51                    25.89
26        -54.725    2.00   1.88300  40.8    28.21
27        225.620    3.00   1.75520  27.5    29.71
28       -521.325    0.50                    30.59
29         91.135    8.97   1.65412  39.7    31.97
30        -33.028    0.10   1.63555  22.7    32.70   0.68947   0.08477 R
31        -38.195    1.80   1.80809  22.8    32.85   0.63070   0.02607 R
32        -80.221    4.00                    33.90
33          ∞       2.20   1.51633  64.1    34.85
34          ∞      50.00                    35.09
像面        ∞   
ΔθgF＝θgF−（−1.61783×10-3×νｄ＋0.64146）
なる式で定義されるものである。
【０２０８】
非球面データ
第1面
K =-1.89568e+000  A 4=-2.94245e-008  A 6=-1.33953e-011  A 8=-3.21333e-016
A10= 2.51019e-019  A12=-2.63415e-023  
第3面
K = 4.03939e-001  A 4=-2.58237e-008  A 6= 2.64099e-012  A 8= 5.02960e-016
A10=-2.47890e-019  
第24面
K = 1.95622e+000  A 4=-2.84763e-006  A 6=-3.09697e-009  A 8= 4.45058e-012
A10=-1.18137e-014  
第6面(回折面)
C 2=-4.41600e-005  C 4=-2.06451e-009  C 6=-2.20218e-012  C 8= 9.75313e-016
C10=-7.74152e-020  
各種データ
ズーム比      1.00 
焦点距離     489.00  
Fナンバー      4.11  
半画角         2.53  
像高          21.64  
レンズ全長   270.00  
BF            50.00  
入射瞳位置   580.69  
射出瞳位置   -64.66  
前側主点位置-1015.82  
後側主点位置-439.00  
レンズ群データ
群  始面    焦点距離  レンズ構成長  前側主点位置  後側主点位置
1    1     132.49        68.30         5.25        -45.95
2    8    -148.46         5.84         4.88          1.65
3   11     -95.55        74.38         6.81        -58.30
31   11    -430.50        19.18        23.38          8.86
32   19     -34.21         8.96         4.88         -0.99
33   24      62.07        41.25         5.72        -29.58
単レンズデータ
レンズ  始面  焦点距離
1       1    308.55
2       3    241.03
3       5   -115.02
4       6    110.54
5       8    319.82
6       9   -100.30
7      12    -64.54
8      13    142.18
9      14     75.06
10      16     85.27
11      17    -52.08
12      19     47.82
13      20    -31.58
14      22    -54.98
15      24     54.54
16      26    -49.71
17      27    208.88
18      29     38.15
19      30   -387.06
20      31    -91.99
G      33      0.00
【０２０９】
（数値実施例14）
f= 585.00mm  Fno= 4.12  ２ω=4.24
面番号         r        d      nd      νd   有効径      θgF      ΔθgF
1(非球面)  144.577   28.92   1.48749  70.2  141.99    0.53026   0.00244
2         -326.618    0.10                  140.66
3(非球面)  105.477   12.22   1.80518  25.4  123.03    0.61655   0.01623
4          138.198   28.77                  118.03
5          317.057    4.20   1.80000  29.8   97.21    0.60187   0.00870
6(回折)     60.869   23.51   1.49700  81.5   84.72    0.53859   0.02916
7         -422.986   19.00                   82.51
8         1526.600    5.00   1.80809  22.8   62.61    0.63070   0.02607
9         -217.946    4.00   1.74950  35.3   61.36    0.58180  -0.00249
10           84.253   51.49                   55.58
11(絞り)      ∞      10.00                   36.44    開口部SP
12           89.927    2.00   1.75520  27.5   31.77
13(回折)     39.959    6.23   1.51633  64.1   30.38    A
14          -84.236    5.00                   29.78
15(非球面)  176.846    5.00   1.72342  38.0   24.90
16          -28.671    2.00   1.88300  40.8   23.99
17          111.774    4.64                   22.36
18         3099.487    2.81   1.84666  23.8   22.37
19          -88.382    1.70   1.77250  49.6   22.37
20           49.833    2.57                   22.32
21         -360.181    2.50   1.77250  49.6   22.71
22           68.112    5.00                   23.52
23(非球面)   54.095    6.38   1.64769  33.8   27.65
24          -40.714    1.00                   28.04
25          -46.304    6.48   1.65412  39.7   27.80
26          -19.732    2.50   1.88300  40.8   28.19
27(非球面)96378.936    5.87                   31.15
28          329.798   11.52   1.75520  27.5   35.46
29          -24.296    0.10   1.63555  22.7   36.37  0.68947    0.08477 R
30          -27.105    2.50   1.80809  22.8   36.59  0.63070    0.02607 R
31          -60.115   15.00                   38.74
32            ∞       2.00   1.51633  64.1   39.93
33            ∞      50.00                   40.02
像面          ∞   
ΔθgF＝θgF−（−1.61783×10-3×νｄ＋0.64146）
なる式で定義されるものである。
【０２１０】
非球面データ
第1面
K =-5.10132e-001  A 4=-4.25048e-008  A 6=-9.66374e-012  A 8= 2.59674e-016
A10= 1.40035e-020  
第3面
K = 2.59011e-001  A 4=-1.98983e-008  A 6= 4.70543e-012  A 8= 3.67982e-016
A10= 7.65698e-020  A12= 1.90243e-024  
第15面
K =-5.29241e+001  A 4= 3.47396e-006  A 6=-5.23493e-010  A 8= 1.31695e-011
A10=-3.27087e-014  A12= 8.86014e-017  
第23面
K = 6.39842e+000  A 4=-7.38270e-006  A 6= 2.59918e-010  A 8=-9.45303e-012
A10= 1.38553e-014  A12=-1.17645e-016  
第27面
K = 0.00000e+000  A 4=-2.04375e-006  A 6= 3.12075e-009  A 8=-1.90304e-013
A10= 6.45879e-015  A12= 7.13646e-019  
第6面(回折面)
C 2=-5.69441e-005  C 4= 5.50613e-009  C 6=-7.42160e-012  C 8= 1.87437e-015
第13面(回折面)
C 2= 1.25211e-004  C 4= 6.44682e-008  C 6= 7.19382e-012  C 8=-1.48734e-013
C10=-6.00755e-016  
各種データ
ズーム比      1.00 
焦点距離     585.00  
Fナンバー      4.12  
半画角           2.12  
像高          21.64  
レンズ全長   330.00  
BF            50.00  
入射瞳位置   760.16  
射出瞳位置  -123.48  
前側主点位置-627.56  
後側主点位置-535.00  
レンズ群データ
群  始面    焦点距離  レンズ構成長  前側主点位置  後側主点位置
1    1     163.04        97.72        -2.72        -73.69
2    8    -123.93         9.00         5.48          0.41
3   11    -335.50       102.80       -54.17       -188.09
31   11  -26733.10        30.23      3079.02       2740.48
32   18     -34.97         9.59         4.32         -2.06
33   23      64.79        53.35        15.31        -29.44
単レンズデータ
レンズ  始面  焦点距離
1       1    209.80
2       3    474.30
3       5    -95.89
4       6    107.51
5       8    236.31
6       9    -80.61
7      12    -94.62
8      13     54.11
9      15     34.46
10      16    -25.67
11      18    101.54
12      19    -41.03
13      21    -73.96
14      23     36.84
15      25     47.94
16      26    -22.34
17      28     30.39
18      29   -374.04
19      30    -63.22
G      32      0.00
【０２１１】
【表１】
0005726004.tif 000010
【０２１２】
【表２】
0005726004.tif 000011
【０２１３】
【表３】
0005726004.tif 000012
【０２１４】
【表４】
0005726004.tif 000013
※表中の「--」とは、その数値実施例には該当しない条件式であることを表わす。
【０２１５】
以上、本発明の好ましい実施形態について説明したが、本発明はこれらの実施形態に限定されず、その要旨の範囲内で種々の変形及び変更が可能である。
【０２１６】
次に本発明の光学系を撮像装置（カメラシステム）に適用した実施例を図１５を用いて説明する。図１５は一眼レフカメラの要部概略図である。図１５において、１０は実施例１〜１４のいずれか１つの撮影光学系１を有する撮像レンズである。撮影光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【０２１７】
７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。このように実施例１〜１４の撮影光学系を写真用カメラや、ビデオカメラ、デジタルスチルカメラ等の撮像装置に適用することにより、軽量で高い光学性能を有する撮像装置を実現している。
【０２１８】
尚、本発明の撮影光学系はクイックリターンミラーのない撮像装置にも適用することができる。
【符号の説明】
【０２１９】
Ｌ０は撮影光学系  Ｌ１は第１レンズ群  Ｌ２は第２レンズ群  Ｌ３は第３レンズ群
Ｌ３１は第３１レンズ群  Ｌ３２は第３２レンズ群  Ｌ３３は第３３レンズ群
ＤＯＥは回折光学素子  Ｄは回折光学部  Ａは光学素子Ａ  Ｒは光学素子Ｒ
【図１】
0005726004.tif 000016
【図２】
0005726004.tif 000017
【図３】
0005726004.tif 000018
【図４】
0005726004.tif 000019
【図５】
0005726004.tif 000020
【図６】
0005726004.tif 000021
【図７】
0005726004.tif 000022
【図８】
0005726004.tif 000023
【図９】
0005726004.tif 000024
【図１０】
0005726004.tif 000025
【図１１】
0005726004.tif 000026
【図１２】
0005726004.tif 000027
【図１３】
0005726004.tif 000028
【図１４】
0005726004.tif 000029
【図１５】
0005726004.tif 000030
【図１６】
0005726004.tif 000031
【図１７】
0005726004.tif 000032
【図１８】
0005726004.tif 000033